(57)【要約】【課題】  本発明は、記録装置、再生装置、ファイル管理方法及びファイル管理方法のプログラム及びファイル管理方法のプログラムを記録した記録媒体に関し、例えば光ディスク装置に適用して、従来に比して一段と操作性を向上する。【解決手段】  本発明は、ファイルの抜粋情報によるエントリの連続によるインデックスファイルにおいて、対象ファイルのサイズを示す情報を設定し、また密接に関連するファイルについての管理情報をまとめて登録し、またディスクタイトルに係るエントリよりビデオによる抜粋情報を指し示し、また代理のエントリを登録し、また関連するファイルのエントリを指し示すようにし、またインデックスファイルの管理の元でアプリケーション毎の抜粋情報を登録する。【選択図】        図１
2005100081.tif 000002
【特許請求の範囲】
【請求項１】
所望のファイルを記録媒体に記録する記録装置において、
前記ファイルと対応付けられた前記ファイルに係る抜粋情報のブロックによるエントリの連続により、前記記録媒体に記録した前記ファイルのインデックスファイルを作成して前記記録媒体に記録し、
前記エントリに、対応する前記ファイルのファイルサイズの情報を設定して前記インデックスファイルを作成する
ことを特徴とする記録装置。
【請求項２】
インデックスファイルに基づいて、記録媒体に記録されたファイルを再生してユーザーに提供する再生装置において、
前記インデックスファイルは、
前記ファイルと対応付けられた前記ファイルに係る抜粋情報のブロックによるエントリの連続により形成され、
前記再生装置は、
前記インデックスファイルに設定された前記ファイルのファイルサイズの情報に基づいて、再生可能なファイルか否か判断する
ことを特徴とする再生装置。
【請求項３】
前記再生可能なファイルか否かの判断結果に基づいて、ユーザーインターフェースを提供し、再生可能なファイルについて、ユーザーによる選択を受け付ける
ことを特徴とする請求項２に記載の再生装置。
【請求項４】
所望のファイルを記録媒体に記録するファイル管理方法において、
前記ファイルと対応付けられた前記ファイルに係る抜粋情報のブロックによるエントリの連続により、前記記録媒体に記録した前記ファイルのインデックスファイルを作成して前記記録媒体に記録し、
前記インデックスファイルの前記エントリに、対応する前記ファイルのファイルサイズの情報を設定して前記インデックスファイルを作成する
ことを特徴とするファイル管理方法。
【請求項５】
インデックスファイルに基づいて、記録媒体に記録されたファイルを再生してユーザーに提供するファイル管理方法において、
前記インデックスファイルは、
前記ファイルと対応付けられた前記ファイルに係る抜粋情報のブロックによるエントリの連続により形成され、
前記ファイル管理方法は、
前記インデックスファイルに設定された前記ファイルのファイルサイズの情報に基づいて、再生可能なファイルか否か判断する
ことを特徴とするファイル管理方法。
【請求項６】
コンピュータに所定の処理手順を実行させることにより、所望のファイルを記録媒体に記録するファイル管理方法のプログラムにおいて、
前記ファイルと対応付けられた前記ファイルに係る抜粋情報のブロックによるエントリの連続により、前記記録媒体に記録した前記ファイルのインデックスファイルを作成して前記記録媒体に記録し、
前記インデックスファイルの前記エントリに、対応する前記ファイルのファイルサイズの情報を設定して前記インデックスファイルを作成する
ことを特徴とするファイル管理方法のプログラム。
【請求項７】
コンピュータに所定の処理手順を実行させることにより、インデックスファイルに基づいて、記録媒体に記録されたファイルを再生してユーザーに提供するファイル管理方法のプログラムにおいて、
前記インデックスファイルは、
前記ファイルと対応付けられた前記ファイルに係る抜粋情報のブロックによるエントリの連続により形成され、
前記処理手順は、
前記インデックスファイルに設定された前記ファイルのファイルサイズの情報に基づいて、再生可能なファイルか否か判断するステップを有する
ことを特徴とするファイル管理方法のプログラム。
【請求項８】
コンピュータに所定の処理手順を実行させることにより、所望のファイルを記録媒体に記録するファイル管理方法のプログラムを記録した記録媒体において、
前記ファイルと対応付けられた前記ファイルに係る抜粋情報のブロックによるエントリの連続により、前記記録媒体に記録した前記ファイルのインデックスファイルを作成して前記記録媒体に記録し、
前記インデックスファイルの前記エントリに、対応する前記ファイルのファイルサイズの情報を設定して前記インデックスファイルを作成する
ことを特徴とするファイル管理方法のプログラムを記録した記録媒体。
【請求項９】
コンピュータに所定の処理手順を実行させることにより、インデックスファイルに基づいて、記録媒体に記録されたファイルを再生してユーザーに提供するファイル管理方法のプログラムを記録した記録媒体において、
前記インデックスファイルは、
前記ファイルと対応付けられた前記ファイルに係る抜粋情報のブロックによるエントリの連続により形成され、
前記処理手順は、
前記インデックスファイルに設定された前記ファイルのファイルサイズの情報に基づいて、再生可能なファイルか否か判断するステップを有する
ことを特徴とするファイル管理方法のプログラムを記録した記録媒体。
【請求項１０】
所望のファイルを記録媒体に記録する記録装置において、
前記ファイルと対応付けられた前記ファイルに係る抜粋情報のブロックによるエントリの連続により、前記記録媒体に記録した前記ファイルのインデックスファイルを作成して前記記録媒体に記録し、
再生時に同時に処理される複数ファイルについては、１つのエントリに前記複数ファイルの抜粋情報をまとめて記録する
ことを特徴とする記録装置。
【請求項１１】
前記１つのエントリが、前記複数ファイルを代表するファイルに対応するエントリである
ことを特徴とする請求項１０に記載の記録装置。
【請求項１２】
インデックスファイルに基づいて、記録媒体に記録されたファイルを再生してユーザーに提供する再生装置において、
前記インデックスファイルは、
前記ファイルと対応付けられた前記ファイルに係る抜粋情報のブロックによるエントリの連続により形成され、
再生時に同時に処理される複数ファイルについては、１つのエントリに前記複数ファイルの抜粋情報がまとめて記録され、
前記再生装置は、
前記１つのエントリに対応するユーザーインターフェースにより前記複数ファイルを再生する
ことを特徴とする再生装置。
【請求項１３】
所望のファイルを記録媒体に記録するファイル管理方法において、
前記ファイルと対応付けられた前記ファイルに係る抜粋情報のブロックによるエントリの連続により、前記記録媒体に記録した前記ファイルのインデックスファイルを作成し、
再生時に同時に処理される複数ファイルについては、１つのエントリに前記複数ファイルの抜粋情報をまとめて記録する
ことを特徴とするファイル管理方法。
【請求項１４】
インデックスファイルに基づいて、記録媒体に記録されたファイルを再生してユーザーに提供するファイル管理方法において、
前記インデックスファイルは、
前記ファイルと対応付けられた前記ファイルに係る抜粋情報のブロックによるエントリの連続により形成され、
再生時に同時に処理される複数ファイルについては、１つのエントリに前記複数ファイルの抜粋情報がまとめて記録され、
前記ファイル管理方法は、
前記１つのエントリに対応するユーザーインターフェースにより前記複数ファイルを再生する
ことを特徴とするファイル管理方法。
【請求項１５】
コンピュータに所定の処理手順を実行させることにより、所望のファイルを記録媒体に記録するファイル管理方法のプログラムにおいて、
前記ファイルと対応付けられた前記ファイルに係る抜粋情報のブロックによるエントリの連続により、前記記録媒体に記録した前記ファイルのインデックスファイルを作成し、
再生時に同時に処理される複数ファイルについては、１つのエントリに前記複数ファイルの抜粋情報をまとめて記録する
ことを特徴とするファイル管理方法のプログラム。
【請求項１６】
コンピュータに所定の処理手順を実行させることにより、インデックスファイルに基づいて、記録媒体に記録されたファイルを再生してユーザーに提供するファイル管理方法のプログラムにおいて、
前記インデックスファイルは、
前記ファイルと対応付けられた前記ファイルに係る抜粋情報のブロックによるエントリの連続により形成され、
再生時に同時に処理される複数ファイルについては、１つのエントリに前記複数ファイルの抜粋情報がまとめて記録され、
前記処理手順は、
前記１つのエントリに対応するユーザーインターフェースにより前記複数ファイルを再生するステップを有する
ことを特徴とするファイル管理方法のプログラム。
【請求項１７】
コンピュータに所定の処理手順を実行させることにより、所望のファイルを記録媒体に記録するファイル管理方法のプログラムを記録した記録媒体において、
前記ファイルと対応付けられた前記ファイルに係る抜粋情報のブロックによるエントリの連続により、前記記録媒体に記録した前記ファイルのインデックスファイルを作成し、
再生時に同時に処理される複数ファイルについては、１つのエントリに前記複数ファイルの抜粋情報をまとめて記録する
ことを特徴とするファイル管理方法のプログラムを記録した記録媒体。
【請求項１８】
コンピュータに所定の処理手順を実行させることにより、インデックスファイルに基づいて、記録媒体に記録されたファイルを再生してユーザーに提供するファイル管理方法のプログラムを記録した記録媒体において、
前記インデックスファイルは、
前記ファイルと対応付けられた前記ファイルに係る抜粋情報のブロックによるエントリの連続により形成され、
再生時に同時に処理される複数ファイルについては、１つのエントリに前記複数ファイルの抜粋情報がまとめて記録され、
前記処理手順は、
前記１つのエントリに対応するユーザーインターフェースにより前記複数ファイルを再生するステップを有する
ことを特徴とするファイル管理方法のプログラムを記録した記録媒体。
【請求項１９】
所望のファイルを記録媒体に記録する記録装置において、
前記ファイルと対応付けられた前記ファイルに係る抜粋情報のブロックによるエントリの連続により、前記記録媒体に記録した前記ファイルのインデックスファイルを作成して前記記録媒体に記録し、
前記記録媒体のルートディレクトリに対応するエントリを前記インデックスファイルに設け、
前記ルートディレクトリに対応するエントリに、前記記録媒体に記録した映像ファイルを指し示す情報を設定する
ことを特徴とする記録装置。
【請求項２０】
前記ルートディレクトリに対応するエントリに、
前記映像ファイルを指し示す情報の登録に係るオーナーを特定するオーナーの識別子と、
前記映像ファイルの再生に供するアプリケーションを特定するアプリケーションの識別子とを設定する
ことを特徴とする請求項１９に記載の記録装置。
【請求項２１】
インデックスファイルに基づいて、記録媒体に記録されたファイルを再生してユーザーに提供する再生装置において、
前記インデックスファイルは、
前記ファイルと対応付けられた前記ファイルに係る抜粋情報のブロックによるエントリの連続により形成され、
前記記録媒体のルートディレクトリに対応するエントリに、前記記録媒体に記録した映像ファイルを指し示す情報が設定され、
前記再生装置は、
前記記録媒体の装填により、又は電源の立ち上げにより、前記映像ファイルを指し示す情報に基づいて、前記記録媒体に記録された前記映像ファイルを再生してユーザーに提供する
ことを特徴とする再生装置。
【請求項２２】
前記ルートディレクトリに対応するエントリには、
前記映像ファイルを指し示す情報の登録に係るオーナーを特定するオーナーの識別子と、前記映像ファイルの再生に供するアプリケーションを特定するアプリケーションの識別子とが設定され、
前記再生装置は、
前記オーナーの識別子と、前記アプリケーションの識別子とにより、前記映像ファイルの再生を中止する
ことを特徴とする請求項２１に記載の再生装置。
【請求項２３】
所望のファイルを記録媒体に記録するファイル管理方法において、
前記ファイルと対応付けられた前記ファイルに係る抜粋情報のブロックによるエントリの連続により、前記記録媒体に記録した前記ファイルのインデックスファイルを作成して前記記録媒体に記録し、
前記記録媒体のルートディレクトリに対応するエントリを前記インデックスファイルに設け、
前記ルートディレクトリに対応するエントリに、前記記録媒体に記録した映像ファイルを指し示す情報を設定する
ことを特徴とするファイル管理方法。
【請求項２４】
インデックスファイルに基づいて、記録媒体に記録されたファイルを再生してユーザーに提供するファイル管理方法において、
前記インデックスファイルは、
前記ファイルと対応付けられた前記ファイルに係る抜粋情報のブロックによるエントリの連続により形成され、
前記記録媒体のルートディレクトリに対応するエントリに、前記記録媒体に記録した映像ファイルを指し示す情報が設定され、
前記ファイル管理方法は、
前記記録媒体の装填により、又は電源の立ち上げにより、前記映像ファイルを指し示す情報に基づいて、前記記録媒体に記録された前記映像ファイルを再生してユーザーに提供する
ことを特徴とするファイル管理方法。
【請求項２５】
コンピュータに所定の処理手順を実行させることにより、所望のファイルを記録媒体に記録するファイル管理方法のプログラムにおいて、
前記ファイルと対応付けられた前記ファイルに係る抜粋情報のブロックによるエントリの連続により、前記記録媒体に記録した前記ファイルのインデックスファイルを作成して前記記録媒体に記録し、
前記記録媒体のルートディレクトリに対応するエントリを前記インデックスファイルに設け、
前記ルートディレクトリに対応するエントリに、前記記録媒体に記録した映像ファイルを指し示す情報を設定する
ことを特徴とするファイル管理方法のプログラム。
【請求項２６】
コンピュータに所定の処理手順を実行させることにより、インデックスファイルに基づいて、記録媒体に記録されたファイルを再生してユーザーに提供するファイル管理方法のプログラムにおいて、
前記インデックスファイルは、
前記ファイルと対応付けられた前記ファイルに係る抜粋情報のブロックによるエントリの連続により形成され、
前記記録媒体のルートディレクトリに対応するエントリに、前記記録媒体に記録した映像ファイルを指し示す情報が設定され、
前記処理手順は、
前記記録媒体の装填により、又は電源の立ち上げにより、前記映像ファイルを指し示す情報に基づいて、前記記録媒体に記録された前記映像ファイルを再生してユーザーに提供するステップを有する
ことを特徴とするファイル管理方法のプログラム。
【請求項２７】
コンピュータに所定の処理手順を実行させることにより、所望のファイルを記録媒体に記録するファイル管理方法のプログラムを記録した記録媒体において、
前記ファイルと対応付けられた前記ファイルに係る抜粋情報のブロックによるエントリの連続により、前記記録媒体に記録した前記ファイルのインデックスファイルを作成して前記記録媒体に記録し、
前記記録媒体のルートディレクトリに対応するエントリを前記インデックスファイルに設け、
前記ルートディレクトリに対応するエントリに、前記記録媒体に記録した映像ファイルを指し示す情報を設定する
ことを特徴とするファイル管理方法のプログラムを記録した記録媒体。
【請求項２８】
コンピュータに所定の処理手順を実行させることにより、インデックスファイルに基づいて、記録媒体に記録されたファイルを再生してユーザーに提供するファイル管理方法のプログラムを記録した記録媒体において、
前記インデックスファイルは、
前記ファイルと対応付けられた前記ファイルに係る抜粋情報のブロックによるエントリの連続により形成され、
前記記録媒体のルートディレクトリに対応するエントリに、前記記録媒体に記録した映像ファイルを指し示す情報が設定され、
前記処理手順は、
前記記録媒体の装填により、又は電源の立ち上げにより、前記映像ファイルを指し示す情報に基づいて、前記記録媒体に記録された前記映像ファイルを再生してユーザーに提供するステップを有する
ことを特徴とするファイル管理方法のプログラムを記録した記録媒体。
【請求項２９】
所望のファイルを記録媒体に記録する記録装置において、
前記ファイルと対応付けられた前記ファイルに係る抜粋情報のブロックによるエントリの連続により、前記記録媒体に記録した前記ファイルのインデックスファイルを作成して前記記録媒体に記録し、
１つの前記ファイルに対応する前記エントリを指し示す情報を設定して、前記１つのファイルに係る抜粋情報を別途登録するエントリを前記インデックスファイルに登録する
ことを特徴とする記録装置。
【請求項３０】
インデックスファイルに基づいて、記録媒体に記録されたファイルを再生してユーザーに提供する再生装置において、
前記インデックスファイルは、
前記ファイルと対応付けられた前記ファイルに係る抜粋情報のブロックによるエントリの連続により形成され、
１つの前記ファイルに対応する前記エントリを指し示す情報が設定されて、前記１つのファイルに係る抜粋情報を別途登録するエントリが前記インデックスファイルに登録されて保持され、
前記再生装置は、
前記１つのファイルに対応する前記エントリにより登録された抜粋情報に代えて、前記別途の登録に係るエントリによる抜粋情報をユーザーに提供する
ことを特徴とする再生装置。
【請求項３１】
所望のファイルを記録媒体に記録するファイル管理方法において、
前記ファイルと対応付けられた前記ファイルに係る抜粋情報のブロックによるエントリの連続により、前記記録媒体に記録した前記ファイルのインデックスファイルを作成して前記記録媒体に記録し、
１つの前記ファイルに対応する前記エントリを指し示す情報を設定して、前記１つのファイルに係る抜粋情報を別途登録するエントリを前記インデックスファイルに登録する
ことを特徴とするファイル管理方法。
【請求項３２】
インデックスファイルに基づいて、記録媒体に記録されたファイルを再生してユーザーに提供するファイル管理方法において、
前記インデックスファイルは、
前記ファイルと対応付けられた前記ファイルに係る抜粋情報のブロックによるエントリの連続により形成され、
１つの前記ファイルに対応する前記エントリを指し示す情報が設定されて、前記１つのファイルに係る抜粋情報を別途登録するエントリが前記インデックスファイルに登録されて保持され、
前記ファイル管理方法は、
前記１つのファイルに対応する前記エントリにより登録された抜粋情報に代えて、前記別途の登録に係るエントリによる抜粋情報をユーザーに提供する
ことを特徴とするファイル管理方法。
【請求項３３】
コンピュータに所定の処理手順を実行させることにより、所望のファイルを記録媒体に記録するファイル管理方法のプログラムにおいて、
前記ファイルと対応付けられた前記ファイルに係る抜粋情報のブロックによるエントリの連続により、前記記録媒体に記録した前記ファイルのインデックスファイルを作成して前記記録媒体に記録し、
１つの前記ファイルに対応する前記エントリを指し示す情報を設定して、前記１つのファイルに係る抜粋情報を別途登録するエントリを前記インデックスファイルに登録する
ことを特徴とするファイル管理方法のプログラム。
【請求項３４】
コンピュータに所定の処理手順を実行させることにより、インデックスファイルに基づいて、記録媒体に記録されたファイルを再生してユーザーに提供するファイル管理方法のプログラムにおいて、
前記インデックスファイルは、
前記ファイルと対応付けられた前記ファイルに係る抜粋情報のブロックによるエントリの連続により形成され、
１つの前記ファイルに対応する前記エントリを指し示す情報が設定されて、前記１つのファイルに係る抜粋情報を別途登録するエントリが前記インデックスファイルに登録されて保持され、
前記処理手順は、
前記１つのファイルに対応する前記エントリにより登録された抜粋情報に代えて、前記別途の登録に係るエントリによる抜粋情報をユーザーに提供する
ことを特徴とするファイル管理方法のプログラム。
【請求項３５】
コンピュータに所定の処理手順を実行させることにより、所望のファイルを記録媒体に記録するファイル管理方法のプログラムを記録した記録媒体において、
前記ファイルと対応付けられた前記ファイルに係る抜粋情報のブロックによるエントリの連続により、前記記録媒体に記録した前記ファイルのインデックスファイルを作成して前記記録媒体に記録し、
１つの前記ファイルに対応する前記エントリを指し示す情報を設定して、前記１つのファイルに係る抜粋情報を別途登録するエントリを前記インデックスファイルに登録する
ことを特徴とするファイル管理方法のプログラムを記録した記録媒体。
【請求項３６】
コンピュータに所定の処理手順を実行させることにより、インデックスファイルに基づいて、記録媒体に記録されたファイルを再生してユーザーに提供するファイル管理方法のプログラムを記録した記録媒体において、
前記インデックスファイルは、
前記ファイルと対応付けられた前記ファイルに係る抜粋情報のブロックによるエントリの連続により形成され、
１つの前記ファイルに対応する前記エントリを指し示す情報が設定されて、前記１つのファイルに係る抜粋情報を別途登録するエントリが前記インデックスファイルに登録されて保持され、
前記処理手順は、
前記１つのファイルに対応する前記エントリにより登録された抜粋情報に代えて、前記別途の登録に係るエントリによる抜粋情報をユーザーに提供する
ことを特徴とするファイル管理方法のプログラムを記録した記録媒体。
【請求項３７】
所望のファイルを記録媒体に記録する記録装置において、
前記ファイルと対応付けられた前記ファイルに係る抜粋情報のブロックによるエントリの連続により、前記記録媒体に記録した前記ファイルのインデックスファイルを作成して前記記録媒体に記録し、
管理対象のファイルの記録、更新、削除により併せて更新することが必要な他のファイルが存在する場合に、前記他のファイルのエントリを指し示す情報を、前記管理対象のファイルに係るエントリに登録する
ことを特徴とする記録装置。
【請求項３８】
前記管理対象のファイルの更新により、前記管理対象のファイルの更新に対応するように、前記管理対象のファイルのエントリに登録された前記抜粋情報を更新する共に、前記他のファイルのエントリを指し示す情報により、該エントリに登録された前記抜粋情報を更新する
ことを特徴とする請求項３７に記載の記録装置。
【請求項３９】
前記管理対象のファイルの削除により、前記管理対象のファイルの削除に対応するように、前記管理対象のファイルのエントリの登録を無効にする共に、前記他のファイルのエントリを指し示す情報により、該エントリに登録された前記抜粋情報を更新する
ことを特徴とする請求項３７に記載の記録装置。
【請求項４０】
所望のファイルを記録媒体に記録するファイル管理方法において、
前記ファイルと対応付けられた前記ファイルに係る抜粋情報のブロックによるエントリの連続により、前記記録媒体に記録した前記ファイルのインデックスファイルを作成して前記記録媒体に記録し、
管理対象のファイルの記録、更新、削除により併せて更新することが必要な他のファイルが存在する場合に、前記他のファイルのエントリを指し示す情報を、前記管理対象のファイルに係るエントリに登録する
ことを特徴とするファイル管理方法。
【請求項４１】
コンピュータに所定の処理手順を実行させることにより、所望のファイルを記録媒体に記録するファイル管理方法のプログラムにおいて、
前記ファイルと対応付けられた前記ファイルに係る抜粋情報のブロックによるエントリの連続により、前記記録媒体に記録した前記ファイルのインデックスファイルを作成して前記記録媒体に記録し、
管理対象のファイルの記録、更新、削除により併せて更新することが必要な他のファイルが存在する場合に、前記他のファイルのエントリを指し示す情報を、前記管理対象のファイルに係るエントリに登録する
ことを特徴とするファイル管理方法のプログラム。
【請求項４２】
コンピュータに所定の処理手順を実行させることにより、所望のファイルを記録媒体に記録するファイル管理方法のプログラムを記録した記録媒体において、
前記ファイルと対応付けられた前記ファイルに係る抜粋情報のブロックによるエントリの連続により、前記記録媒体に記録した前記ファイルのインデックスファイルを作成して前記記録媒体に記録し、
管理対象のファイルの記録、更新、削除により併せて更新することが必要な他のファイルが存在する場合に、前記他のファイルのエントリを指し示す情報を、前記管理対象のファイルに係るエントリに登録する
ことを特徴とするファイル管理方法のプログラムを記録した記録媒体。
【請求項４３】
所望のファイルを記録媒体に記録する記録装置において、
前記ファイルと対応付けられた前記ファイルに係る抜粋情報のブロックによるエントリの連続により、前記記録媒体に記録した前記ファイルのインデックスファイルを作成して前記記録媒体に記録し、
アプリケーションに固有に、前記ファイルに係る抜粋情報によるプライベートインデックスデータの連続により、前記記録媒体に記録した前記ファイルのプライベートインデックスファイルを作成して前記記録媒体に記録し、
既に前記記録媒体に記録されている他のプライベートインデックスファイルと識別可能に、前記インデックスファイルの前記エントリに、該エントリと、前記プライベートインデックスファイルの対応するプライベートインデックスデータとの関係を示す情報を設定する
ことを特徴とする記録装置。
【請求項４４】
前記インデックスファイルの前記エントリに、前記プライベートインデックスファイル毎に、前記プライベートインデックスファイルの対応するプライベートインデックスデータの有効、無効を示す情報を設定する
ことを特徴とする請求項４３に記載の記録装置。
【請求項４５】
前記ファイルの記録の変更により、前記有効、無効を示す情報を更新する
ことを特徴とする請求項４４に記載の記録装置。
【請求項４６】
所望のファイルを記録媒体に記録するファイル管理方法において、
前記ファイルと対応付けられた前記ファイルに係る抜粋情報のブロックによるエントリの連続により、前記記録媒体に記録した前記ファイルのインデックスファイルを作成して前記記録媒体に記録し、
アプリケーションに固有に、前記ファイルに係る抜粋情報によるプライベートインデックスデータの連続により、前記記録媒体に記録した前記ファイルのプライベートインデックスファイルを作成して前記記録媒体に記録し、
既に前記記録媒体に記録されている他のプライベートインデックスファイルと識別可能に、前記インデックスファイルの前記エントリに、該エントリと、前記プライベートインデックスファイルの対応するプライベートインデックスデータとの関係を示す情報を設定する
ことを特徴とするファイル管理方法。
【請求項４７】
コンピュータに所定の処理手順を実行させることにより、所望のファイルを記録媒体に記録するファイル管理方法のプログラムにおいて、
前記ファイルと対応付けられた前記ファイルに係る抜粋情報のブロックによるエントリの連続により、前記記録媒体に記録した前記ファイルのインデックスファイルを作成して前記記録媒体に記録し、
アプリケーションに固有に、前記ファイルに係る抜粋情報によるプライベートインデックスデータの連続により、前記記録媒体に記録した前記ファイルのプライベートインデックスファイルを作成して前記記録媒体に記録し、
既に前記記録媒体に記録されている他のプライベートインデックスファイルと識別可能に、前記インデックスファイルの前記エントリに、該エントリと、前記プライベートインデックスファイルの対応するプライベートインデックスデータとの関係を示す情報を設定する
ことを特徴とするファイル管理方法のプログラム。
【請求項４８】
コンピュータに所定の処理手順を実行させることにより、所望のファイルを記録媒体に記録するファイル管理方法のプログラムを記録した記録媒体において、
前記ファイルと対応付けられた前記ファイルに係る抜粋情報のブロックによるエントリの連続により、前記記録媒体に記録した前記ファイルのインデックスファイルを作成して前記記録媒体に記録し、
アプリケーションに固有に、前記ファイルに係る抜粋情報によるプライベートインデックスデータの連続により、前記記録媒体に記録した前記ファイルのプライベートインデックスファイルを作成して前記記録媒体に記録し、
既に前記記録媒体に記録されている他のプライベートインデックスファイルと識別可能に、前記インデックスファイルの前記エントリに、該エントリと、前記プライベートインデックスファイルの対応するプライベートインデックスデータとの関係を示す情報を設定する
ことを特徴とするファイル管理方法のプログラムを記録した記録媒体。
【請求項４９】
所望のファイルを記録媒体に記録する記録装置において、
前記記録媒体は、
前記ファイルと対応付けられた前記ファイルに係る抜粋情報のブロックによるエントリの連続により、前記記録媒体に記録した前記ファイルのインデックスファイルが記録され、
アプリケーションに固有に、前記ファイルに係る抜粋情報によるプライベートインデックスデータの連続により、前記記録媒体に記録した前記ファイルのプライベートインデックスファイルが記録され、
前記インデックスファイルは、
前記エントリに、前記プライベートインデックスファイル毎に、前記プライベートインデックスファイルの対応するプライベートインデックスデータの有効、無効を示す情報が設定され、
前記記録装置は、
前記ファイルの記録の変更により、前記有効、無効を示す情報を更新する
ことを特徴とする記録装置。
【請求項５０】
所望のファイルを記録媒体に記録するファイル管理方法において、
前記記録媒体は、
前記ファイルと対応付けられた前記ファイルに係る抜粋情報のブロックによるエントリの連続により、前記記録媒体に記録した前記ファイルのインデックスファイルが記録され、
アプリケーションに固有に、前記ファイルに係る抜粋情報によるプライベートインデックスデータの連続により、前記記録媒体に記録した前記ファイルのプライベートインデックスファイルが記録され、
前記インデックスファイルは、
前記エントリに、前記プライベートインデックスファイル毎に、前記プライベートインデックスファイルの対応するプライベートインデックスデータの有効、無効を示す情報が設定され、
前記ファイル管理方法は、
前記ファイルの記録の変更により、前記有効、無効を示す情報を更新する
ことを特徴とするファイル管理方法。
【請求項５１】
コンピュータに所定の処理手順を実行させることにより、所望のファイルを記録媒体に記録するファイル管理方法のプログラムにおいて、
前記記録媒体は、
前記ファイルと対応付けられた前記ファイルに係る抜粋情報のブロックによるエントリの連続により、前記記録媒体に記録した前記ファイルのインデックスファイルが記録され、
アプリケーションに固有に、前記ファイルに係る抜粋情報によるプライベートインデックスデータの連続により、前記記録媒体に記録した前記ファイルのプライベートインデックスファイルが記録され、
前記インデックスファイルは、
前記エントリに、前記プライベートインデックスファイル毎に、前記プライベートインデックスファイルの対応するプライベートインデックスデータの有効、無効を示す情報が設定され、
前記処理手順は、
前記ファイルの記録の変更により、前記有効、無効を示す情報を更新するステップを有する
ことを特徴とするファイル管理方法のプログラム。
【請求項５２】
コンピュータに所定の処理手順を実行させることにより、所望のファイルを記録媒体に記録するファイル管理方法のプログラムを記録した記録媒体において、
前記記録媒体は、
前記ファイルと対応付けられた前記ファイルに係る抜粋情報のブロックによるエントリの連続により、前記記録媒体に記録した前記ファイルのインデックスファイルが記録され、
アプリケーションに固有に、前記ファイルに係る抜粋情報によるプライベートインデックスデータの連続により、前記記録媒体に記録した前記ファイルのプライベートインデックスファイルが記録され、
前記インデックスファイルは、
前記エントリに、前記プライベートインデックスファイル毎に、前記プライベートインデックスファイルの対応するプライベートインデックスデータの有効、無効を示す情報が設定され、
前記処理手順は、
前記ファイルの記録の変更により、前記有効、無効を示す情報を更新するステップを有する
ことを特徴とするファイル管理方法のプログラムを記録した記録媒体。
【発明の詳細な説明】
【技術分野】
【０００１】
本発明は、記録装置、再生装置、ファイル管理方法及びファイル管理方法のプログラム及びファイル管理方法のプログラムを記録した記録媒体に関し、例えば光ディスク装置に適用することができる。本発明は、ファイルの抜粋情報によるエントリの連続によるインデックスファイルにおいて、対象ファイルのサイズを示す情報を設定することにより、密接に関連するファイルについての管理情報をまとめて登録することにより、ディスクタイトルに係るエントリよりビデオによる抜粋情報を指し示すことにより、代理のエントリを登録することにより、関連するファイルのエントリを指し示すようにすることにより、さらにはインデックスファイルの管理の元でアプリケーション毎の抜粋情報を登録することにより、従来に比して一段と操作性を向上することができるようにする。
【背景技術】
【０００２】
近年、光ディスク等のランダムアクセス可能な大容量の記録媒体を用いて、撮像結果を記録するディスク装置等が提案されるようになされている。
【０００３】
このようなディスク装置に関して、例えば特開２００１−８４７０５号公報においては、記録媒体に記録した多数のファイルよりインデックス用ファイルを作成してこの記録媒体に記録することにより、このインデックス用ファイルを用いてこれら多数のファイルに係る操作性を向上する方法が提案されるようになされている。
【０００４】
また特開２００２−２７８９９６号公報においては、このようにして作成したインデックス用ファイルにおいて、各ファイルを階層化して管理することにより、さらに一段とこれら多数のファイルに係る操作性を向上する方法が提案されるようになされている。
【０００５】
ところでこのようなインデックス用のファイルによる操作性を従来に比して一段と向上することができれば、便利であると考えられる。
【特許文献１】特開２００１−８４７０５号公報
【特許文献２】特開２００２−２７８９９６号公報
【発明の開示】
【発明が解決しようとする課題】
【０００６】
本発明は以上の点を考慮してなされたもので、記録媒体に記録した多数のファイルをインデックスファイルにより管理する場合に、従来に比して一段と操作性を向上することができる記録装置、再生装置、ファイル管理方法及びファイル管理方法のプログラム及びファイル管理方法のプログラムを記録した記録媒体を提案しようとするものである。
【課題を解決するための手段】
【０００７】
かかる課題を解決するため請求項１の発明においては、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、エントリに、対応するファイルのファイルサイズの情報を設定してインデックスファイルを作成する。
【０００８】
また請求項２の発明においては、インデックスファイルに基づいて、記録媒体に記録されたファイルを再生してユーザーに提供する再生装置に適用して、インデックスファイルは、ファイルと対応付けられたファイルに係る抜粋情報のブロックによるエントリの連続により形成され、再生装置は、インデックスファイルに設定されたファイルのファイルサイズの情報に基づいて、再生可能なファイルか否か判断する。
【０００９】
また請求項４の発明においては、所望のファイルを記録媒体に記録するファイル管理方法に適用して、ファイルと対応付けられたファイルに係る抜粋情報のブロックによるエントリの連続により、記録媒体に記録したファイルのインデックスファイルを作成して記録媒体に記録し、インデックスファイルのエントリに、対応するファイルのファイルサイズの情報を設定してインデックスファイルを作成する。
【００１０】
また請求項５の発明においては、インデックスファイルに基づいて、記録媒体に記録されたファイルを再生してユーザーに提供するファイル管理方法に適用して、インデックスファイルは、ファイルと対応付けられたファイルに係る抜粋情報のブロックによるエントリの連続により形成され、ファイル管理方法は、インデックスファイルに設定されたファイルのファイルサイズの情報に基づいて、再生可能なファイルか否か判断する。
【００１１】
また請求項６の発明においては、コンピュータに所定の処理手順を実行させることにより、所望のファイルを記録媒体に記録するファイル管理方法のプログラムに適用して、ファイルと対応付けられたファイルに係る抜粋情報のブロックによるエントリの連続により、記録媒体に記録したファイルのインデックスファイルを作成して記録媒体に記録し、インデックスファイルのエントリに、対応するファイルのファイルサイズの情報を設定してインデックスファイルを作成する。
【００１２】
また請求項７の発明においては、コンピュータに所定の処理手順を実行させることにより、インデックスファイルに基づいて、記録媒体に記録されたファイルを再生してユーザーに提供するファイル管理方法のプログラムに適用して、インデックスファイルは、ファイルと対応付けられたファイルに係る抜粋情報のブロックによるエントリの連続により形成され、処理手順は、インデックスファイルに設定されたファイルのファイルサイズの情報に基づいて、再生可能なファイルか否か判断するステップを有する。
【００１３】
また請求項８の発明においては、コンピュータに所定の処理手順を実行させることにより、所望のファイルを記録媒体に記録するファイル管理方法のプログラムを記録した記録媒体において、ファイルと対応付けられたファイルに係る抜粋情報のブロックによるエントリの連続により、記録媒体に記録したファイルのインデックスファイルを作成して記録媒体に記録し、インデックスファイルのエントリに、対応するファイルのファイルサイズの情報を設定してインデックスファイルを作成する。
【００１４】
また請求項９の発明においては、コンピュータに所定の処理手順を実行させることにより、インデックスファイルに基づいて、記録媒体に記録されたファイルを再生してユーザーに提供するファイル管理方法のプログラムを記録した記録媒体に適用して、インデックスファイルは、ファイルと対応付けられたファイルに係る抜粋情報のブロックによるエントリの連続により形成され、処理手順は、インデックスファイルに設定されたファイルのファイルサイズの情報に基づいて、再生可能なファイルか否か判断するステップを有する。
【００１５】
また請求項１０の発明においては、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、再生時と同時に処理される複数ファイルについては、１つのエントリにこれら複数ファイルの抜粋情報をまとめて記録する。
【００１６】
また請求項１２の発明においては、インデックスファイルに基づいて、記録媒体に記録されたファイルを再生してユーザーに提供する再生装置に適用して、インデックスファイルは、ファイルと対応付けられたファイルに係る抜粋情報のブロックによるエントリの連続により形成され、再生時に同時に処理される複数ファイルについては、１つのエントリにこれら複数ファイルの抜粋情報がまとめて記録され、再生装置は、１つのエントリに対応するユーザーインターフェースにより複数ファイルを再生する。
【００１７】
また請求項１３の発明においては、所望のファイルを記録媒体に記録するファイル管理方法に適用して、ファイルと対応付けられたファイルに係る抜粋情報のブロックによるエントリの連続により、記録媒体に記録したファイルのインデックスファイルを作成し、再生時に同時に処理される複数ファイルについては、１つのエントリにこれら複数ファイルの抜粋情報をまとめて記録する。
【００１８】
また請求項１４の発明においては、インデックスファイルに基づいて、記録媒体に記録されたファイルを再生してユーザーに提供するファイル管理方法に適用して、インデックスファイルは、ファイルと対応付けられたファイルに係る抜粋情報のブロックによるエントリの連続により形成され、再生時に同時に処理される複数ファイルについては、１つのエントリにこれら複数ファイルの抜粋情報がまとめて記録され、ファイル管理方法は、１つのエントリに対応するユーザーインターフェースにより複数ファイルを再生する。
【００１９】
また請求項１５の発明においては、コンピュータに所定の処理手順を実行させることにより、所望のファイルを記録媒体に記録するファイル管理方法のプログラムに適用して、ファイルと対応付けられたファイルに係る抜粋情報のブロックによるエントリの連続により、記録媒体に記録したファイルのインデックスファイルを作成し、再生時に同時に処理される複数ファイルについては、１つのエントリにこれら複数ファイルの抜粋情報をまとめて記録する。
【００２０】
また請求項１６の発明においては、コンピュータに所定の処理手順を実行させることにより、インデックスファイルに基づいて、記録媒体に記録されたファイルを再生してユーザーに提供するファイル管理方法のプログラムに適用して、インデックスファイルは、ファイルと対応付けられたファイルに係る抜粋情報のブロックによるエントリの連続により形成され、再生時に同時に処理される複数ファイルについては、１つのエントリにこれら複数ファイルの抜粋情報がまとめて記録され、処理手順は、１つのエントリに対応するユーザーインターフェースにより複数ファイルを再生するステップを有する。
【００２１】
また請求項１７の発明においては、コンピュータに所定の処理手順を実行させることにより、所望のファイルを記録媒体に記録するファイル管理方法のプログラムを記録した記録媒体に適用して、ファイルと対応付けられたファイルに係る抜粋情報のブロックによるエントリの連続により、記録媒体に記録したファイルのインデックスファイルを作成し、再生時に同時に処理される複数ファイルについては、１つのエントリにこれら複数ファイルの抜粋情報をまとめて記録する。
【００２２】
また請求項１８の発明においては、コンピュータに所定の処理手順を実行させることにより、インデックスファイルに基づいて、記録媒体に記録されたファイルを再生してユーザーに提供するファイル管理方法のプログラムを記録した記録媒体に適用して、インデックスファイルは、ファイルと対応付けられたファイルに係る抜粋情報のブロックによるエントリの連続により形成され、再生時に同時に処理される複数ファイルについては、１つのエントリにこれら複数ファイルの抜粋情報がまとめて記録され、処理手順は、１つのエントリに対応するユーザーインターフェースにより複数ファイルを再生するステップを有する。
【００２３】
また請求項１９の発明においては、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、記録媒体のルートディレクトリに対応するエントリをインデックスファイルに設け、ルートディレクトリに対応するエントリに、記録媒体に記録した映像ファイルを指し示す情報を設定する。
【００２４】
また請求項２１の発明においては、インデックスファイルに基づいて、記録媒体に記録されたファイルを再生してユーザーに提供する再生装置に適用して、インデックスファイルは、ファイルと対応付けられたファイルに係る抜粋情報のブロックによるエントリの連続により形成され、記録媒体のルートディレクトリに対応するエントリに、記録媒体に記録した映像ファイルを指し示す情報が設定され、再生装置は、記録媒体の装填により、又は電源の立ち上げにより、映像ファイルを指し示す情報に基づいて、記録媒体に記録された映像ファイルを再生してユーザーに提供する。
【００２５】
また請求項２３の発明においては、所望のファイルを記録媒体に記録するファイル管理方法に適用して、ファイルと対応付けられたファイルに係る抜粋情報のブロックによるエントリの連続により、記録媒体に記録したファイルのインデックスファイルを作成して記録媒体に記録し、記録媒体のルートディレクトリに対応するエントリをインデックスファイルに設け、ルートディレクトリに対応するエントリに、記録媒体に記録した映像ファイルを指し示す情報を設定する。
【００２６】
また請求項２４の発明においては、インデックスファイルに基づいて、記録媒体に記録されたファイルを再生してユーザーに提供するファイル管理方法に適用して、インデックスファイルは、ファイルと対応付けられたファイルに係る抜粋情報のブロックによるエントリの連続により形成され、記録媒体のルートディレクトリに対応するエントリに、記録媒体に記録した映像ファイルを指し示す情報が設定され、ファイル管理方法は、記録媒体の装填により、又は電源の立ち上げにより、映像ファイルを指し示す情報に基づいて、記録媒体に記録された映像ファイルを再生してユーザーに提供する。
【００２７】
また請求項２５の発明においては、コンピュータに所定の処理手順を実行させることにより、所望のファイルを記録媒体に記録するファイル管理方法のプログラムに適用して、ファイルと対応付けられたファイルに係る抜粋情報のブロックによるエントリの連続により、記録媒体に記録したファイルのインデックスファイルを作成して記録媒体に記録し、記録媒体のルートディレクトリに対応するエントリをインデックスファイルに設け、ルートディレクトリに対応するエントリに、記録媒体に記録した映像ファイルを指し示す情報を設定する。
【００２８】
また請求項２６の発明においては、コンピュータに所定の処理手順を実行させることにより、インデックスファイルに基づいて、記録媒体に記録されたファイルを再生してユーザーに提供するファイル管理方法のプログラムに適用して、インデックスファイルは、ファイルと対応付けられたファイルに係る抜粋情報のブロックによるエントリの連続により形成され、記録媒体のルートディレクトリに対応するエントリに、記録媒体に記録した映像ファイルを指し示す情報が設定され、処理手順は、記録媒体の装填により、又は電源の立ち上げにより、映像ファイルを指し示す情報に基づいて、記録媒体に記録された映像ファイルを再生してユーザーに提供するステップを有する。
【００２９】
また請求項２７の発明においては、コンピュータに所定の処理手順を実行させることにより、所望のファイルを記録媒体に記録するファイル管理方法のプログラムを記録した記録媒体に適用して、ファイルと対応付けられたファイルに係る抜粋情報のブロックによるエントリの連続により、記録媒体に記録したファイルのインデックスファイルを作成して記録媒体に記録し、記録媒体のルートディレクトリに対応するエントリをインデックスファイルに設け、ルートディレクトリに対応するエントリに、記録媒体に記録した映像ファイルを指し示す情報を設定する。
【００３０】
また請求項２８の発明においては、コンピュータに所定の処理手順を実行させることにより、インデックスファイルに基づいて、記録媒体に記録されたファイルを再生してユーザーに提供するファイル管理方法のプログラムを記録した記録媒体に適用して、インデックスファイルは、ファイルと対応付けられたファイルに係る抜粋情報のブロックによるエントリの連続により形成され、記録媒体のルートディレクトリに対応するエントリに、記録媒体に記録した映像ファイルを指し示す情報が設定され、処理手順は、記録媒体の装填により、又は電源の立ち上げにより、映像ファイルを指し示す情報に基づいて、記録媒体に記録された映像ファイルを再生してユーザーに提供するステップを有する。
【００３１】
また請求項２９の発明においては、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、１つのファイルに対応するエントリを指し示す情報を設定して、１つのファイルに係る抜粋情報を別途登録するエントリをインデックスファイルに登録する。
【００３２】
また請求項３０の発明においては、インデックスファイルに基づいて、記録媒体に記録されたファイルを再生してユーザーに提供する再生装置に適用して、インデックスファイルは、ファイルと対応付けられたファイルに係る抜粋情報のブロックによるエントリの連続により形成され、１つのファイルに対応するエントリを指し示す情報が設定されて、１つのファイルに係る抜粋情報を別途登録するエントリがインデックスファイルに登録されて保持され、再生装置は、１つのファイルに対応するエントリにより登録された抜粋情報に代えて、別途の登録に係るエントリによる抜粋情報をユーザーに提供する。
【００３３】
また請求項３１の発明においては、所望のファイルを記録媒体に記録するファイル管理方法に適用して、ファイルと対応付けられたファイルに係る抜粋情報のブロックによるエントリの連続により、記録媒体に記録したファイルのインデックスファイルを作成して記録媒体に記録し、１つのファイルに対応するエントリを指し示す情報を設定して、１つのファイルに係る抜粋情報を別途登録するエントリをインデックスファイルに登録する。
【００３４】
また請求項３２の発明においては、インデックスファイルに基づいて、記録媒体に記録されたファイルを再生してユーザーに提供するファイル管理方法に適用して、インデックスファイルは、ファイルと対応付けられたファイルに係る抜粋情報のブロックによるエントリの連続により形成され、１つのファイルに対応するエントリを指し示す情報が設定されて、１つのファイルに係る抜粋情報を別途登録するエントリがインデックスファイルに登録されて保持され、ファイル管理方法は、１つのファイルに対応するエントリにより登録された抜粋情報に代えて、別途の登録に係るエントリによる抜粋情報をユーザーに提供する。
【００３５】
また請求項３３の発明においては、コンピュータに所定の処理手順を実行させることにより、所望のファイルを記録媒体に記録するファイル管理方法のプログラムに適用して、ファイルと対応付けられたファイルに係る抜粋情報のブロックによるエントリの連続により、記録媒体に記録したファイルのインデックスファイルを作成して記録媒体に記録し、１つのファイルに対応するエントリを指し示す情報を設定して、１つのファイルに係る抜粋情報を別途登録するエントリをインデックスファイルに登録する。
【００３６】
また請求項３４の発明においては、コンピュータに所定の処理手順を実行させることにより、インデックスファイルに基づいて、記録媒体に記録されたファイルを再生してユーザーに提供するファイル管理方法のプログラムに適用して、インデックスファイルは、ファイルと対応付けられたファイルに係る抜粋情報のブロックによるエントリの連続により形成され、１つのファイルに対応するエントリを指し示す情報が設定されて、１つのファイルに係る抜粋情報を別途登録するエントリがインデックスファイルに登録されて保持され、処理手順は、１つのファイルに対応するエントリにより登録された抜粋情報に代えて、別途の登録に係るエントリによる抜粋情報をユーザーに提供する。
【００３７】
また請求項３５の発明においては、コンピュータに所定の処理手順を実行させることにより、所望のファイルを記録媒体に記録するファイル管理方法のプログラムを記録した記録媒体に適用して、ファイルと対応付けられたファイルに係る抜粋情報のブロックによるエントリの連続により、記録媒体に記録したファイルのインデックスファイルを作成して記録媒体に記録し、１つのファイルに対応するエントリを指し示す情報を設定して、１つのファイルに係る抜粋情報を別途登録するエントリをインデックスファイルに登録する。
【００３８】
また請求項３６の発明においては、コンピュータに所定の処理手順を実行させることにより、インデックスファイルに基づいて、記録媒体に記録されたファイルを再生してユーザーに提供するファイル管理方法のプログラムを記録した記録媒体に適用して、インデックスファイルは、ファイルと対応付けられたファイルに係る抜粋情報のブロックによるエントリの連続により形成され、１つのファイルに対応するエントリを指し示す情報が設定されて、１つのファイルに係る抜粋情報を別途登録するエントリがインデックスファイルに登録されて保持され、処理手順は、１つのファイルに対応するエントリにより登録された抜粋情報に代えて、別途の登録に係るエントリによる抜粋情報をユーザーに提供する。
【００３９】
また請求項３７の発明においては、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、管理対象のファイルの記録、更新、削除により併せて更新することが必要な他のファイルが存在する場合に、この他のファイルのエントリを指し示す情報を、管理対象のファイルに係るエントリに登録する。
【００４０】
また請求項４０の発明においては、所望のファイルを記録媒体に記録するファイル管理方法に適用して、ファイルと対応付けられたファイルに係る抜粋情報のブロックによるエントリの連続により、記録媒体に記録したファイルのインデックスファイルを作成して記録媒体に記録し、管理対象のファイルの記録、更新、削除により併せて更新することが必要な他のファイルが存在する場合に、この他のファイルのエントリを指し示す情報を、管理対象のファイルに係るエントリに登録する。
【００４１】
また請求項４１の発明においては、コンピュータに所定の処理手順を実行させることにより、所望のファイルを記録媒体に記録するファイル管理方法のプログラムに適用して、ファイルと対応付けられたファイルに係る抜粋情報のブロックによるエントリの連続により、記録媒体に記録したファイルのインデックスファイルを作成して記録媒体に記録し、管理対象のファイルの記録、更新、削除により併せて更新することが必要な他のファイルが存在する場合に、この他のファイルのエントリを指し示す情報を、管理対象のファイルに係るエントリに登録する。
【００４２】
また請求項４２の発明においては、コンピュータに所定の処理手順を実行させることにより、所望のファイルを記録媒体に記録するファイル管理方法のプログラムを記録した記録媒体に適用して、ファイルと対応付けられたファイルに係る抜粋情報のブロックによるエントリの連続により、記録媒体に記録したファイルのインデックスファイルを作成して記録媒体に記録し、管理対象のファイルの記録、更新、削除により併せて更新することが必要な他のファイルが存在する場合に、この他のファイルのエントリを指し示す情報を、管理対象のファイルに係るエントリに登録する。
【００４３】
また請求項４３の発明においては、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、アプリケーションに固有に、ファイルに係る抜粋情報によるプライベートインデックスデータの連続により、記録媒体に記録したファイルのプライベートインデックスファイルを作成して記録媒体に記録し、既に記録媒体に記録されている他のプライベートインデックスファイルと識別可能に、インデックスファイルのエントリに、該エントリと、プライベートインデックスファイルの対応するプライベートインデックスデータとの関係を示す情報を設定する。
【００４４】
また請求項４６の発明においては、所望のファイルを記録媒体に記録するファイル管理方法に適用して、ファイルと対応付けられたファイルに係る抜粋情報のブロックによるエントリの連続により、記録媒体に記録したファイルのインデックスファイルを作成して記録媒体に記録し、アプリケーションに固有に、ファイルに係る抜粋情報によるプライベートインデックスデータの連続により、記録媒体に記録したファイルのプライベートインデックスファイルを作成して記録媒体に記録し、既に記録媒体に記録されている他のプライベートインデックスファイルと識別可能に、インデックスファイルのエントリに、該エントリと、プライベートインデックスファイルの対応するプライベートインデックスデータとの関係を示す情報を設定する。
【００４５】
また請求項４７の発明においては、コンピュータに所定の処理手順を実行させることにより、所望のファイルを記録媒体に記録するファイル管理方法のプログラムに適用して、ファイルと対応付けられたファイルに係る抜粋情報のブロックによるエントリの連続により、記録媒体に記録したファイルのインデックスファイルを作成して記録媒体に記録し、アプリケーションに固有に、ファイルに係る抜粋情報によるプライベートインデックスデータの連続により、記録媒体に記録したファイルのプライベートインデックスファイルを作成して記録媒体に記録し、既に記録媒体に記録されている他のプライベートインデックスファイルと識別可能に、インデックスファイルのエントリに、該エントリと、プライベートインデックスファイルの対応するプライベートインデックスデータとの関係を示す情報を設定する。
【００４６】
また請求項４８の発明においては、コンピュータに所定の処理手順を実行させることにより、所望のファイルを記録媒体に記録するファイル管理方法のプログラムを記録した記録媒体に適用して、ファイルと対応付けられたファイルに係る抜粋情報のブロックによるエントリの連続により、記録媒体に記録したファイルのインデックスファイルを作成して記録媒体に記録し、アプリケーションに固有に、ファイルに係る抜粋情報によるプライベートインデックスデータの連続により、記録媒体に記録したファイルのプライベートインデックスファイルを作成して記録媒体に記録し、既に記録媒体に記録されている他のプライベートインデックスファイルと識別可能に、インデックスファイルのエントリに、該エントリと、プライベートインデックスファイルの対応するプライベートインデックスデータとの関係を示す情報を設定する。
【００４７】
また請求項４９の発明においては、所望のファイルを記録媒体に記録する記録装置に適用して、記録媒体は、ファイルと対応付けられたファイルに係る抜粋情報のブロックによるエントリの連続により、記録媒体に記録したファイルのインデックスファイルが記録され、アプリケーションに固有に、ファイルに係る抜粋情報によるプライベートインデックスデータの連続により、記録媒体に記録したファイルのプライベートインデックスファイルが記録され、インデックスファイルは、エントリに、プライベートインデックスファイル毎に、プライベートインデックスファイルの対応するプライベートインデックスデータの有効、無効を示す情報が設定され、記録装置は、ファイルの記録の変更により、有効、無効を示す情報を更新する。
【００４８】
また請求項５０の発明においては、所望のファイルを記録媒体に記録するファイル管理方法に適用して、記録媒体は、ファイルと対応付けられたファイルに係る抜粋情報のブロックによるエントリの連続により、記録媒体に記録したファイルのインデックスファイルが記録され、アプリケーションに固有に、ファイルに係る抜粋情報によるプライベートインデックスデータの連続により、記録媒体に記録したファイルのプライベートインデックスファイルが記録され、インデックスファイルは、エントリに、プライベートインデックスファイル毎に、プライベートインデックスファイルの対応するプライベートインデックスデータの有効、無効を示す情報が設定され、ファイル管理方法は、ファイルの記録の変更により、有効、無効を示す情報を更新する。
【００４９】
また請求項５１の発明においては、コンピュータに所定の処理手順を実行させることにより、所望のファイルを記録媒体に記録するファイル管理方法のプログラムに適用して、記録媒体は、ファイルと対応付けられたファイルに係る抜粋情報のブロックによるエントリの連続により、記録媒体に記録したファイルのインデックスファイルが記録され、アプリケーションに固有に、ファイルに係る抜粋情報によるプライベートインデックスデータの連続により、記録媒体に記録したファイルのプライベートインデックスファイルが記録され、インデックスファイルは、エントリに、プライベートインデックスファイル毎に、プライベートインデックスファイルの対応するプライベートインデックスデータの有効、無効を示す情報が設定され、処理手順は、ファイルの記録の変更により、有効、無効を示す情報を更新するステップを有する。
【００５０】
また請求項５２の発明においては、コンピュータに所定の処理手順を実行させることにより、所望のファイルを記録媒体に記録するファイル管理方法のプログラムを記録した記録媒体に適用して、記録媒体は、ファイルと対応付けられたファイルに係る抜粋情報のブロックによるエントリの連続により、記録媒体に記録したファイルのインデックスファイルが記録され、アプリケーションに固有に、ファイルに係る抜粋情報によるプライベートインデックスデータの連続により、記録媒体に記録したファイルのプライベートインデックスファイルが記録され、インデックスファイルは、エントリに、プライベートインデックスファイル毎に、プライベートインデックスファイルの対応するプライベートインデックスデータの有効、無効を示す情報が設定され、処理手順は、ファイルの記録の変更により、有効、無効を示す情報を更新するステップを有する。
【００５１】
請求項１の構成によれば、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、エントリに、対応するファイルのファイルサイズの情報を設定してインデックスファイルを作成することにより、いちいちファイル管理システムによりファイルサイズを検出しなくても、このファイルサイズの情報により再生時、再生可能か否か判断することができる。これにより処理に要する負担を軽減して操作性を向上することができる。
【００５２】
これにより請求項２の構成によれば、処理に要する負担の軽減により操作性を向上することができる再生装置を提供することができ、請求項４、請求項５の構成によれば、処理に要する負担の軽減により操作性を向上することができるファイル管理方法を提供することができる。また請求項６、請求項７の構成によれば、処理に要する負担の軽減により操作性を向上することができるファイル管理方法のプログラムを提供することができ、請求項８、請求項９の構成によれば、処理に要する負担の軽減により操作性を向上することができるファイル管理方法のプログラムを記録した記録媒体を提供することができる。
【００５３】
また請求項１０の構成によれば、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、再生時に同時に処理される複数ファイルについては、１つのエントリにこれら複数ファイルの抜粋情報をまとめて記録することにより、これら再生時に同時に処理するファイルについては、まとめて管理することができ、これにより処理に要する負担の軽減により操作性を向上することができる。
【００５４】
これにより請求項１２の構成によれば、処理に要する負担の軽減により操作性を向上することができる再生装置を提供することができ、請求項１３、請求項１４の構成によれば、処理に要する負担の軽減により操作性を向上することができるファイル管理方法を提供することができる。また請求項１５、請求項１６の構成によれば、処理に要する負担の軽減により操作性を向上することができるファイル管理方法のプログラムを提供することができ、請求項１７、請求項１８の構成によれば、処理に要する負担の軽減により操作性を向上することができるファイル管理方法のプログラムを記録した記録媒体を提供することができる。
【００５５】
また請求項１９の構成によれば、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、記録媒体のルートディレクトリに対応するエントリをインデックスファイルに設け、ルートディレクトリに対応するエントリに、記録媒体に記録した映像ファイルを指し示す情報を設定することにより、例えばディスクタイトルによる映像ファイルを登録してインデックスファイルにより管理することができ、例えばこの映像ファイルを自動的に再生する等の処理を実行することができ、これにより操作性を向上することができる。
【００５６】
これにより請求項２１の構成によれば、操作性を向上することができる再生装置を提供することができ、請求項２３、請求項２４の構成によれば、操作性を向上することができるファイル管理方法を提供することができる。また請求項２５、請求項２６の構成によれば、操作性を向上することができるファイル管理方法のプログラムを提供することができ、請求項２７、請求項２８の構成によれば、操作性を向上することができるファイル管理方法のプログラムを記録した記録媒体を提供することができる。
【００５７】
また請求項２９の構成によれば、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、１つのファイルに対応するエントリを指し示す情報を設定して、１つのファイルに係る抜粋情報を別途登録するエントリをインデックスファイルに登録することにより、代理に使用することができる抜粋情報を登録することができ、これにより必要に応じてこの代理に係る抜粋情報を選択してユーザーに提供して、操作性を向上することができる。
【００５８】
これにより請求項３０の構成によれば、代理に係る抜粋情報により操作性を向上することができる再生装置を提供することができ、請求項３１、請求項３２の構成によれば、代理に係る抜粋情報により操作性を向上することができるファイル管理方法を提供することができる。また請求項３３、請求項３４の構成によれば、代理に係る抜粋情報により操作性を向上することができるファイル管理方法のプログラムを提供することができ、請求項３５、請求項３６の構成によれば、代理に係る抜粋情報により操作性を向上することができるファイル管理方法のプログラムを記録した記録媒体を提供することができる。
【００５９】
また請求項３７の発明においては、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、管理対象のファイルの記録、更新、削除により併せて更新することが必要な他のファイルが存在する場合に、この他のファイルのエントリを指し示す情報を、管理対象のファイルに係るエントリに登録することにより、この管理対象のファイルを処理する際に、この他のファイルのエントリを指し示す情報により、他のファイルに係る処理が必要なことを、このインデックスファイル上で確認することができる。これにより処理の負担を軽減して操作性を向上することができる。
【００６０】
これにより請求項４０、請求項４１、請求項４２の構成によれば、処理の負担の軽減により操作性を向上することができる再生装置を提供することができるファイル管理方法、ファイル管理方法のプログラム、ファイル管理方法のプログラムを記録した記録媒体を提供することができる。
【００６１】
また請求項４３の発明においては、所望のファイルを記録媒体に記録する記録装置に適用して、ファイルと対応付けられたファイルに係る抜粋情報のブロックによるエントリの連続により、記録媒体に記録したファイルのインデックスファイルを作成して記録媒体に記録し、アプリケーションに固有に、ファイルに係る抜粋情報によるプライベートインデックスデータの連続により、記録媒体に記録したファイルのプライベートインデックスファイルを作成して記録媒体に記録し、既に記録媒体に記録されている他のプライベートインデックスファイルと識別可能に、インデックスファイルのエントリに、該エントリと、プライベートインデックスファイルの対応するプライベートインデックスデータとの関係を示す情報を設定することにより、各アプリケーションで共通のインデックスファイルとは別に、アプリケーションに対応付けられたプライベートインデックスファイルを登録してアプリケーションの使い勝手を向上させて、インデックスファイルとプライベートインデックスファイルとを一元的に管理することができる。これによりこのプライベートインデックスファイルにより操作性を向上することができる。
【００６２】
これにより請求項４６、請求項４７、請求項４８の構成によれば、プライベートインデックスファイルにより操作性を向上することができる再生装置を提供することができるファイル管理方法、ファイル管理方法のプログラム、ファイル管理方法のプログラムを記録した記録媒体を提供することができる。
【００６３】
また請求項４９の構成によれば、所望のファイルを記録媒体に記録する記録装置に適用して、記録媒体は、ファイルと対応付けられたファイルに係る抜粋情報のブロックによるエントリの連続により、記録媒体に記録したファイルのインデックスファイルが記録され、アプリケーションに固有に、ファイルに係る抜粋情報によるプライベートインデックスデータの連続により、記録媒体に記録したファイルのプライベートインデックスファイルが記録され、インデックスファイルは、エントリに、プライベートインデックスファイル毎に、プライベートインデックスファイルの対応するプライベートインデックスデータの有効、無効を示す情報が設定され、記録装置は、ファイルの記録の変更により、有効、無効を示す情報を更新することにより、プライベートインデックスファイルの登録により操作性が向上されてなる記録媒体に対して、このプライベートインデックスファイルに係るアプリケーションを有していない場合にあっても、ファイルの削除等に対応するようにこのプライベートインデックスファイルを設定し得、これによりこのような記録媒体がプライベートインデックスファイルに対応するアプリケーションを有してなる機器に改めて装填された場合における矛盾の発生を防止することができる。これによりこのような矛盾の発生の防止により操作性を向上することができる。
【００６４】
これにより請求項５０、請求項５１、請求項５２の構成によれば、プライベートインデックスファイルの管理により操作性を向上することができる再生装置を提供することができるファイル管理方法、ファイル管理方法のプログラム、ファイル管理方法のプログラムを記録した記録媒体を提供することができる。
【発明の効果】
【００６５】
本発明によれば、例えば光ディスク装置に適用して、従来に比して一段と操作性を向上することができる。
【発明を実施するための最良の形態】
【００６６】
以下、適宜図面を参照しながら本発明の実施例を詳述する。
【実施例１】
【００６７】
（１）実施例の構成
（１−１）光ディスク装置の構成
図１は、本発明の実施例に係る光ディスク装置を示すブロック図である。この光ディスク装置１においては、図示しない撮像手段、音声取得手段により被写体の映像信号、音声信号を取得し、この映像信号及び音声信号による撮像結果を光ディスク２に記録する。またこの光ディスク２に記録した撮像結果を再生して液晶表示パネルによる表示手段、スピーカによる音声出力手段より出力し、また外部機器に出力する。この光ディスク装置１では、このような撮像結果による映像信号及び音声信号をＭＰＥＧ（Moving Picture Experts Group）のフォーマットによりストリーミングデータに変換した後、所定のファイル形式により光ディスク２に記録するようになされ、この実施例では、このファイル形式にQuick Time（以下、「ＱＴ」と呼ぶ）が適用されるようになされている。
【００６８】
これにより光ディスク装置１において、ビデオ符号器１１は、撮像結果による映像信号をアナログディジタル変換処理して映像データを生成し、この映像データをＭＰＥＧのフォーマットに従って符号化処理し、これにより映像データによるエレメンタリストリームを出力する。
【００６９】
またオーディオ符号器１２は、撮像結果による音声信号をアナログディジタル変換処理して音声データを生成し、この音声データをＭＰＥＧのフォーマットに従って符号化処理し、これにより音声データによるエレメンタリストリームを出力する。
【００７０】
ファイル生成器１５は、記録時、ビデオ符号器１１及びオーディオ符号器１２から出力されるエレメンタリストリームを多重化処理し、システム制御マイコン１９の制御によりＱＴムービーファイルを作成する。
【００７１】
メモリコントローラ１８は、システム制御マイコン１９の制御により動作を切り換え、記録時、このファイル生成器１５から出力されるＱＴムービーファイルによるデータ列、システム制御マイコン１９から出力される各種データをメモリ１７に順次記録して一時保持し、続くエラー訂正符号／復号器２１の処理に対応して保持したデータを出力する。また再生時、これとは逆に、エラー訂正符号／復号器２１の出力データを一時保持し、ファイル復号器１６、システム制御マイコン１９に出力する。
【００７２】
エラー訂正符号／復号器２１は、システム制御マイコン１９の制御により動作を切り換え、記録時、メモリコントローラ１８の出力データをメモリ２０に一時記録して誤り訂正符号を付加する。またこのようにしてメモリに保持したデータを所定順序により読み出して出力することにより、これらのデータをインターリーブ処理してデータ変復調器２３に出力する。またエラー訂正符号／復号器２１は、再生時、記録時とは逆に、データ変復調器２３から出力されるデータを所定順序によりメモリ２０に一時記録してメモリコントローラ１８に出力することにより、このデータ変復調器２３から出力されるデータをデインターリーブ処理して出力する。またこのとき、記録時に付加した誤り訂正符号により誤り訂正処理する。
【００７３】
データ変復調器２３は、システム制御マイコン１９の制御により動作を切り換え、記録時、エラー訂正符号／復号器２１の出力データをシリアルデータ列に変換した後、変調処理して磁界変調ドライバ２４又は光ピックアップ３３に出力する。また再生時、光ピックアップ３３から出力される再生信号からクロックを再生し、このクロックを基準にして再生信号を２値識別、復調処理することにより、記録時に生成したシリアルデータ列に対応する再生データを得、この再生データをエラー訂正符号／復号器２１に出力する。
【００７４】
磁界変調ドライバ２４は、光ディスク２が光磁気ディスクの場合に、記録時、システム制御マイコン１９の制御により、データ変復調器２３の出力信号により磁界ヘッド３２を駆動する。ここで磁界ヘッド３２は、光ディスク２を間に挟んで光ピックアップ３３に対向するように保持され、光ピックアップ３３によるレーザービーム照射位置にデータ変復調器２３の出力データに応じた変調磁界を印加する。これによりこの光ディスク装置１では、光ディスク２が光磁気ディスクの場合、熱磁気記録の手法により光ディスク２にＱＴムービーファイル等を記録するようになされている。
【００７５】
かくするにつき光ディスク２は、ディスク状記録媒体であり、この実施例では、光磁気ディスク（ＭＯ：Magneto-Optical Disk）、相変化型ディスク等の書き換え可能な光ディスクである。スピンドルモータ３１は、この光ディスク２をサーボ回路３０の制御により、光ディスク２に応じて線速度一定（ＣＬＶ：Constant Linear Velocity）、角速度一定（ＣＡＶ、Constant Angular Velocity）、ゾーンＣＬＶ（ＺＣＬＶ：Zone Constant Linear Velocity ）等の条件により光ディスク２を回転駆動する。
【００７６】
サーボ回路３０は、光ピックアップ３３から出力される各種信号に基づいて、スピンドルモータ３１の動作を制御し、これによりスピンドル制御の処理を実行する。またサーボ回路３０は、同様にして光ピックアップ３３をトラッキング制御、フォーカス制御し、また光ピックアップ３３、磁界ヘッド３２をシークさせ、さらにはフォーカスサーチ等の処理を実行する。
【００７７】
ドライブ制御マイコン２２は、システム制御マイコン１９の指示により、これらサーボ回路３０におけるシーク等の動作を制御する。
【００７８】
光ピックアップ３３は、光ディスク２にレーザービームを照射してその戻り光を所定の受光素子により受光し、受光結果を演算処理することにより、各種制御用の信号を生成して出力し、また光ディスク２に形成されたピット列、マーク列に応じて信号レベルが変化する再生信号を出力する。また光ピックアップ３３は、システム制御マイコン１９の制御により動作を切り換え、光ディスク２が光磁気ディスクの場合、記録時、光ディスク２に照射するレーザービームの光量を間欠的に立ち上げる。これによりこの光ディスク装置１では、いわゆるパルストレイン方式により光ディスク２にＱＴムービーファイル等を記録するようになされている。また光ピックアップ３３は、光ディスク２が相変化型ディスク等の場合、データ変復調器２３の出力データに応じて光ディスク２に照射するレーザービームの光量を再生時の光量から書き込み時の光量に立ち上げ、これにより熱記録の手法を適用して光ディスク２にＱＴムービーファイル等を記録するようになされている。
【００７９】
これらによりこの光ディスク装置１では、撮像結果による映像信号及び音声信号をビデオ符号器１１、オーディオ符号器１２によりデータ圧縮してエレメンタリストリームに変換した後、ファイル生成器１５によりＱＴムービーファイルに変換し、メモリコントローラ１８、エラー訂正符号／復号器２１、データ変復調器２３を順次介して、光ピックアップ３３により、又は光ピックアップ３３及び磁界ヘッド３２によりこのＱＴムービーファイルのデータ、インデックスファイルのデータ等を光ディスク２に記録するようになされている。ここでインデックスファイルは、光ディスク２に記録したＱＴムービーファイルを管理対象ファイルに設定してなるインデックス用のファイルである。
【００８０】
また光ディスク装置１では、光ピックアップ３３より得られる再生信号をデータ変復調器２３により処理して再生データを得、この再生データをエラー訂正符号／復号器２１で処理して、光ディスク２に記録したＱＴムービーファイル、インデックスファイル等を再生できるようになされ、これらＱＴムービーファイル、インデックスファイル等をメモリコントローラ１８から出力するようになされている。
【００８１】
ファイル復号器１６は、メモリコントローラ１８から出力されるＱＴムービーファイルのデータを入力し、このデータを映像データ及び音声データのエレメンタリストリームに分解して出力する。ビデオ復号器１３は、この映像データのエレメンタリストリームをデータ伸長して図示しない表示手段、外部機器に出力する。オーディオ復号器１４は、ファイル復号器１６から出力される音声データのエレメンタリストリームをデータ伸長して、図示しない音声出力手段、外部機器に出力する。これによりこの光ディスク装置１では、光ディスク２から再生した撮像結果をモニタし得るようになされている。
【００８２】
なお、光ディスク装置１は、コンピュータ等の外部機器を接続するインターフェースを有し、これにより撮像結果に代えてコンピュータの出力データを光ディスク２に記録し、また光ディスク２に記録したファイルを再生してコンピュータで処理できるようになされている。
【００８３】
操作部２６は、この光ディスク装置１の各種操作子、液晶表示パネルに配置されたタッチパネルにより構成され、ユーザーによる各種操作をシステム制御マイコン１９に通知する。
【００８４】
システム制御マイコン１９は、この光ディスク装置１全体の動作を制御するコンピュータであり、図示しないメモリに記録された所定の処理プログラムの実行により、光ディスク２の装填が検出されると、光ピックアップ３３を光ディスク２の最内周にシークさせ、光ディスク２に係るファイル管理システムの管理情報を再生する。さらにシステム制御マイコン１９は、この再生した管理情報をメモリコントローラ１８から取得し、内蔵のメモリに保持する。これによりシステム制御マイコン１９は、光ディスク２に記録された各ファイルのアドレス、空き領域を検出するようになされている。
【００８５】
このシステム制御マイコン１９に係る処理プログラムにおいては、事前のインストールにより提供されるものの、これに代えてネットワークを介してダウンロードしてインストールするようにしてもよく、また記録媒体により再生してインストールするようにしてもよい。ちなみに、このような記録媒体においては、光ディスク、磁気テープ、メモリカード等、種々の記録媒体を広く適用することができる。
【００８６】
またシステム制御マイコン１９は、このようにして取得した管理情報を検索して、光ディスク２にインデックスファイルが記録されている場合、このインデックスファイルの記録位置に光ピックアップ３３をシークさせ、このインデックスファイルを再生する。またメモリコントローラ１８よりこの再生したインデックスファイルを取得し、内蔵のメモリに記録して保持する。これによりこの実施例では、このインデックスファイルを利用して光ディスク２に記録されたファイルの処理に関して全体の操作性を向上するようになされている。なお、これによりインデックスファイルにおいては、ユーザーエリアの最内周近傍に記録して立ち上がり時間を短くすることができる。
【００８７】
すなわちシステム制御マイコン１９は、ユーザーの操作に応動して、このインデックスファイルによりモニタ用の液晶表示パネルにサムネイル画像等を表示することにより光ディスク２に記録されたＱＴムービーファイルの内容を紹介し、またこの紹介によりユーザーによるファイルの選択を受け付け、対応する管理情報によりこのユーザーにより選択されたファイルを再生するように全体の動作を制御する。
【００８８】
またユーザーによる撮像結果の記録が指示されると、管理情報により空き領域を検出して光ピックアップ３３をこの空き領域にシークさせ、順次得られる撮像結果を光ディスク２に記録する。またこの撮像結果の記録によるＱＴムービーファイルの記録に対応するように、メモリに保持した管理情報を更新し、光ディスク２の排出時等において、この更新した管理情報により光ディスク２の管理情報を更新する。なおこの管理情報の更新においては、メモリに保持して更新した管理情報をメモリコントローラ１８を介してエラー訂正符号／復号器２１に出力することにより実行される。
【００８９】
これらの処理において、システム制御マイコン１９は、記録に供するＱＴファイルの生成に必要な各種の情報をファイル生成器１５に出力する。またファイル生成器１５を介してインデックスファイルの生成に必要な情報を取得し、この取得した情報とファイル生成器１５に出力した情報等とにより、新たに光ディスク２に記録するＱＴムービーファイルについて、メモリに保持したインデックスファイルを更新し、管理情報における更新処理と同様にして、このようにして更新してメモリに保持したインデックスファイルにより光ディスク２に記録されたインデックスファイルを更新する。
【００９０】
またユーザーにより光ディスク２に記録されたファイルの編集が指示されると、この編集の処理に対応するように、記録時と同様にして、メモリに保持したインデックスファイル、管理情報を更新し、このメモリに保持したインデックスファイル、管理情報により光ディスク２のインデックスファイル、管理情報を更新する。
【００９１】
このようにして撮像結果による映像信号及び音声信号を光ディスク２に記録する光ディスク装置１においては、ＱＴムービーファイルを外部参照形式により記録する。すなわち光ディスク装置１においては、映像信号及び音声信号によりそれぞれ映像ファイル、音声ファイルを光ディスク２に記録し、またこれら映像ファイル及び音声ファイルを管理するリソースファイルを光ディスク２に記録し、これによりこれら映像ファイル、音声ファイル、リソースファイルによるＱＴムービーファイルを光ディスク２に記録するようになされている。
【００９２】
（１−２）インデックスファイル
インデックスファイルは、ＱＴムービーファイル等の光ディスク２に記録される各種ファイルと同様に、光ディスク２のファイル管理システムにより、記録位置のアドレス、ファイル名、ファイル長等の再生に必要な情報が管理されるファイルであり、光ディスク２に記録された管理対象であるＱＴムービーファイルの内容を紹介する情報等により構成される。これによりこの光ディスク装置１では、このインデックスファイルにより光ディスク２に記録されたＱＴムービーファイルを選択し、この選択したファイルをファイル管理システムに基づいて光ディスク２から再生することにより、光ディスク２に多数のＱＴムービーファイルが記録されている場合でも、所望するファイルを迅速かつ正確に選択できるようになされ、その分、操作性を向上できるようになされている。
【００９３】
この実施例において、インデックスファイルは、このＱＴムービーファイルの内容を紹介する情報等にＱＴムービーファイルに係る情報を抜粋した情報（以下、抜粋情報と呼ぶ）等を割り当てて、この抜粋情報のブロックによるエントリの連続により形成され、これにより各ＱＴムービーファイルの内容を簡易かつ迅速に把握できるようになされている。
【００９４】
インデックスファイルは、この抜粋情報によるデータ群がその属性毎に分類されて、光ディスク２に記録するＱＴムービーファイルと同一のファイル構造により作成され、これによりＱＴムービーファイルを作成する光ディスク装置１の構成を利用して作成し、また処理し得るようになされ、その分、光ディスク装置１では構成を簡略化し得るようになされている。
【００９５】
具体的にインデックスファイルは、ＱＴムービーファイルの構成に対応して図２に示すように、実データに係る抜粋情報が、テキストエントリファイルＥ１、サムネイル画像エントリファイルＥ２、プロパティエントリファイルＥ３に割り当てられ、これらをエントリファイルＥ１〜Ｅ３と、これらエントリファイルＥ１〜Ｅ３の管理情報によるリソースファイル（図示せず）とにより構成される。
【００９６】
ここで各エントリファイルＥ１〜Ｅ３は、それぞれ先頭に、各エントリファイルＥ１〜Ｅ３の属性等を示すヘッダＰＨ、ＴＨＨ、ＴＸＨが設けられ、続いて固定長によるスロットによるエントリが連続するように形成される。
【００９７】
ここでテキストエントリファイルＥ１は、ディスクタイトル、各管理対象ファイル等に係るタイトルの文字列を示すデータが順次スロットに割り当てられて形成される。これに対してサムネイル画像エントリファイルＥ２は、ディスクタイトル、各管理対象ファイルの内容を示す静止画像によるサムネイル画像が順次スロットに割り当てられて構成される。
【００９８】
プロパティエントリファイルＥ３は、ディスクタイトル、各管理対象ファイルの属性を示すデータが割り当てられ、これらディスクタイトル、各管理対象ファイルに設定されたバイナリーデータによる抜粋情報が、エントリの管理情報と共に順次スロットに割り当てられる。具体的に、プロパティエントリファイルには、各エントリにそれぞれ対応する管理対象ファイルを特定する情報、図２において矢印により示すように、他のエントリファイルとの関係を示す情報等が割り当てられる。
【００９９】
これに対してリソースファイルは、各エントリファイルにおけるスロットの開始位置等の管理情報が、このインデックスファイルの属性情報等と共に記録される。
【０１００】
これによりインデックスファイルは、サムネイル画像エントリファイルＥ２によりサムネイル画像をユーザーに提供して、又はテキストエントリファイルＥ１により各ファイルのタイトル等をユーザーに提供して、これらサムネイル画像、タイトルによりファイルの選択を受け付け、この選択されたファイルをプロパティエントリの記述によりファイル管理システムによるファイル名により検出できるようになされ、これらによりユーザーによる操作性を向上できるようになされている。
【０１０１】
これによりこの光ディスク装置１において、システム制御マイコン１９は、ファイル生成器１５よりデータ圧縮された映像データ及び音声データを取得してデコードした後、映像データにおいては、画素の間引きによりサムネイル画像を生成し、このサムネイル画像によりサムネイル画像エントリファイルＥ２を生成するようになされている。また光ディスク２のファイル管理システムに保持された各管理対象ファイルのファイル情報より、さらにはユーザーの設定によりタイトルのデータを生成し、これによりテキストエントリファイルＥ１を生成するようになされている。これに対してユーザーの操作に応動してプロパティエントリファイルを作成するようになされ、さらにはこれらのエントリファイルＥ１〜Ｅ３に応じてリソースファイルを作成するようになされている。
【０１０２】
なおインデックスファイルによる管理対象のファイルによっては、抜粋情報の種類が異なることにより、インデックスファイルにおいては、管理対象ファイルによって、テキストエントリ、サムネイル画像エントリが設けられない場合があるものの、プロパティエントリについては必ず設けられるようになされている。またこれによりこのようなテキストエントリファイル、サムネイル画像エントリファイル以外の、例えばイントロに係るエントリファイル等が設けられる場合もある。
【０１０３】
（１−３）プロパティ
図３は、各エントリに設定されるプロパティの実データを示す図表である。プロパティは、プロパティエントリヘッダ、基本プロパティデータ（Basic Property Data ）、拡張データ（Extension Data）により構成される。これらのうちプロパティエントリヘッダは、階層構造により管理対象ファイルを管理するのに必要な情報であるプロパティ情報の属性情報が割り当てられる。具体的に、プロパティエントリヘッダは、先頭より、プロパティエントリフラグ（Property Entry Flags）、データサイズ（Property Data Size）、エントリ番号（Entry Number）、ネクスト拡張エントリ（Next Extends Entry）、サムネイル画像エントリインデックス（Thumbnail Picture Entry Index ）、テキストエントリインデックス（Title Picture Entry Index ）、親エントリ番号（Parent Entry）、プレイオーダー（Play Order）により構成される。
【０１０４】
ここでプロパティエントリフラグ（Property Entry Flags）は、エントリの属性が設定される。すなわち図４に示すように、プロパティエントリフラグは、０〜３ビット目が、プロパティエントリ種別（Property Entry Type ）に割り当てられ、エントリの種別が登録される。
【０１０５】
ここで図５に示すように、プロパティエントリ種別（Property Entry Type ）は、このプロパティエントリがファイルプロパティエントリ（File Property Entry ）である場合、値０に設定される。ここでファイルプロパティエントリ（File Property Entry ）は、このプロパティエントリの管理対象がファイルである場合であって、かつこのプロパティエントリがこのファイルに割り当てられている先頭のプロパティエントリである場合に設定される。
【０１０６】
またプロパティエントリ種別（Property Entry Type ）は、このプロパティエントリが、代理プロパティエントリ（Shadow File Property Entry）の場合、値１に設定される。ここで代理プロパティエントリは、本来のプロパティエントリによるサムネイル画像エントリ、テキストエントリ等の登録に加えて、代替えのサムネイル画像エントリ、テキストエントリ等の登録に使用されるプロパティエントリである。これによりこの実施例においては、本来のプロパティエントリであるファイルプロパティエントリ（File Property Entry ）に対して、さらには後述するオリジナルフォルダプロパティエントリ（Original Folder Property Entry）、お気に入りフォルダプロパティエントリ（Favorite Folder Property Entry）に対して、この代理プロパティエントリ（Shadow File Property Entry）を設けることにより、１つのファイル、１つのフォルダに対して、複数種類のサムネイル画像エントリ、テキストエントリ等を登録できるようになされ、このようにして登録した複数種類のエントリをアプリケーションで選択して使用できるようになされている。しかして例えばこれら複数種類のサムネイル画像エントリをショートカットに係るアイコンと、本来のアイコンとで使い分けることが考えられる。なお代理プロパティエントリ（Shadow File Property Entry）は、後述する親エントリを指し示す識別子（Parent Entry）に本来のプロパティエントリのエントリ番号が設定され、これによりインデックスファイルでは、この代理プロパティエントリ（Shadow File Property Entry）と本来のプロパティエントリとの関係が代理プロパティエントリ（Shadow File Property Entry）側のプロパティエントリにて表されるようになされている。これによりこの実施例では、従来に比して操作性を向上するようになされている。
【０１０７】
またプロパティエントリ種別（Property Entry Type ）は、このプロパティエントリが、オリジナルフォルダプロパティエントリ（Original Folder Property Entry）の場合、値２に設定される。ここでオリジナルフォルダプロパティエントリ（Original Folder Property Entry）は、ファイルの基本的な格納場所となるオリジナルフォルダに対応するエントリである。オリジナルフォルダは、最初にファイルが記録されるときの登録先のフォルダである。また、ディスクタイトルに係るルートフォルダに割り当てられるディスクタイトルの抜粋情報にあっても、このオリジナルフォルダプロパティエントリ（Original Folder Property Entry）が適用される。
【０１０８】
またプロパティエントリ種別（Property Entry Type ）は、このプロパティエントリが、お気に入りフォルダプロパティエントリ（Favorite Folder Entry ）の場合、値３に設定される。ここでお気に入りフォルダプロパティエントリ（Favorite Folder Entry ）は、既に登録されているエントリの中から、ユーザーが意識的にある目的をもってファイルを集める場合に、オリジナルフォルダとファイルの関係を残したままエントリを集めてグループ化するときに設定されるお気に入りのフォルダに対応するエントリである。これによりインデックスファイルにおいては、このお気に入りフォルダプロパティエントリ（Favorite Folder Entry ）に対して、リンクを設定してなるプロパティエントリを登録することによりオリジナルフォルダによる階層構造と、お気に入りのフォルダによる階層構造との両方によって、記録媒体に記録されたファイルを管理できるようになされている。
【０１０９】
またプロパティエントリ種別（Property Entry Type ）は、このプロパティエントリが、ファイルプロパティエントリ（File Property Entry ）、代理プロパティエントリ（Shadow File Property Entry）、オリジナルフォルダプロパティエントリ（Original Folder Property Entry）、お気に入りフォルダプロパティエントリ（Favorite Folder Entry ）の拡張プロパティエントリの場合、それぞれ対応するファイル拡張エントリ（File Extends Entry）、代理プロパティ拡張エントリ（Shadow File Extends Entry ）、オリジナルフォルダプロパティ拡張エントリ（Original Folder Extends Entry ）、お気に入りフォルダプロパティ拡張エントリ（Favorite Folder Extends Entry ）に設定される。ここでインデックスファイルでは、１つのプロパティエントリにより対応するファイル、フォルダの抜粋情報を登録しきれない場合、複数のエントリにより登録できるようになされており、この複数のエントリの先頭エントリが上述した各エントリに設定され、後続のプロパティが、先頭エントリに対応してこれら拡張プロパティに設定される。またサムネイル画像エントリ、テキストエントリについても同様に、１つのエントリにより登録できない場合、複数のエントリにより拡張して登録できるようになされている。プロパティエントリにあっては、このようにサムネイル画像エントリ等が拡張された場合、１つのエントリに登録可能な場合であっても、これら他のエントリファイルに係る複数のエントリに対応して各プロパティエントリが設けられ、この複数のエントリの先頭エントリが上述した各エントリに設定され、後続のプロパティが、先頭エントリに対応してこれら拡張プロパティに設定される。これによりインデックスファイルは、所定データ量による固定データ長により各エントリを構成して処理を簡略化できるようになされ、またこのように固定長によりエントリを構成して柔軟に運用できるようになされている。
【０１１０】
なおプロパティエントリ種別（Property Entry Type ）は、これらに設定される値以外にあっては、リザーブ（Reserved）に設定される。
【０１１１】
さらにプロパティエントリフラグ（図４）は、４ビット目がエントリが有効か無効かを示すフラグ（Valid/Invalid ）に設定される。これによりこの実施例では、例えば１つのＱＴムービーファイルを削除した場合等に、このファイルの削除等に対応して単にこの４ビット目のフラグ（Valid/Invalid ）の設定を切り換えるだけで、インデックスファイルを更新し得るようになされている。
【０１１２】
さらにプロパティエントリフラグ（図４）は、５ビット目から１０ビット目がリザーブ（Reserved）に設定され、続く１１ビット目、１２ビット目に、それぞれ対応するテキストエントリ、サムネイル画像エントリが拡張エントリを有していることを示すフラグ（Title Entry has extended）、（Thumbnail Picture Entry has extended）が設定されるようになされている。また１３ビット目から２３ビット目がリザーブ（Reserved）に割り当てられるようになされている。
【０１１３】
プロパティエントリヘッダは（図３）、続くデータサイズ（Property Data Size）に、このプロパティエントリのデータ量が設定され、続くエントリ番号（Entry Number）に、このプロパティエントリのエントリ番号が割り当てられる。ここでエントリ番号（Entry Number）は、各エントリの識別データであり、各エントリに固有のコードが割り当てられ、この実施例では各エントリファイルの先頭側から順に値１から歩進する番号により構成される。ネクスト拡張エントリ（Next Extends Entry）は、続く拡張エントリのエントリ番号が割り当てられ、サムネイル画像エントリインデックス（Thumbnail Picture Entry Index ）、テキストエントリインデックス（Title Picture Entry Index ）には、対応するサムネイル画像エントリ、テキストエントリのエントリ番号が登録される。これらネクスト拡張エントリ（Next Extends Entry）、サムネイル画像エントリインデックス（Thumbnail Picture Entry Index ）、テキストエントリインデックス（Title Picture Entry Index ）は、対応するエントリが存在しない場合、特定のコード（例えば値０）が設定される。これらによりこのインデックスファイルでは、サムネイル画像エントリインデックス（Thumbnail Picture Entry Index ）、テキストエントリインデックス（Title Picture Entry Index ）により対応するサムネイル画像エントリ、テキストエントリを検出できるようになされ、またネクスト拡張エントリ（Next Extends Entry）により拡張に係るプロパティエントリを検出できるようになされ、これらの設定を辿って１つのファイル、１つのフォルダの抜粋情報を割り当ててなる各エントリを検出できるようになされている。
【０１１４】
続く親エントリ番号（Parent Entry）には、管理対象の階層構造を定義するために設けられ、管理対象ファイル、フォルダの属するフォルダについてのプロパティエントリのエントリ番号が登録される。ここでこの親エントリ番号（Parent Entry）には、オリジナルフォルダに係るプロパティエントリのエントリ番号を登録することができ、インデックスファイルでは、これによりファイルシステム上に実在するディレクトリ構造とは別に、仮想の階層構造を構築できるようになされている。しかしてこの親エントリ番号（Parent Entry）は、下位階層側から上位階層を指し示す情報であることにより、このように管理対象の階層構造を定義する限りにおいては、フォルダに係るプロパティエントリのエントリ番号を指し示し、ファイルに係るプロパティエントリのエントリ番号を指し示すことは無い。
【０１１５】
この関係を利用して、このプロパティエントリの種別が代理プロパティエントリ（Shadow File Property Entry）の場合、この親エントリ番号（Parent Entry）には、管理対象がファイルであるプロパティエントリのエントリ番号を登録することができるようになされ、代理プロパティエントリ（Shadow File Property Entry）において、これにより本来のプロパティエントリとの関係が記述される。インデックスファイルでは、これにより管理対象の階層構造を定義する親エントリ番号（Parent Entry）を有効に利用して、代理プロパティエントリ（Shadow File Property Entry）で本来のプロパティエントリを指し示すようになされている。
【０１１６】
プレイオーダー（Play Order）には、エントリ間の相互の関係を示す情報として、エントリ及び又はエントリに対応するファイルの再生順序を示す情報が設定される。
【０１１７】
これに対して基本プロパティデータ（Basic Property Data ）は、図６に示すように、フォーマットの情報（Format Brand）、デコードに関する情報（Media Profile）、コンテンツに関するフラグ（Contents Status flags ）、作成時刻（Creation time ）、編集日時（Modification Time ）、デュレーション（Duration）、ファイル識別子（Binary File Identifier）、ファイルサイズ（File Size ）、参照ファイル数（Referred Counter）により構成される。
【０１１８】
ここでフォーマットの情報（Format Brand）は、管理対象ファイルの拡張子又はファイルに格納された情報等により特定される管理対象ファイルのフォーマットを示す情報が割り当てられる。またデコードに関する情報（Media Profile）は、管理対象ファイルについて、例えば映像データ及び音声データによるエレメンタリストリームにおけるコーデックの種類、ビットレート、映像データのフレーム数、音声データのサンプリング周波数、映像データの縦、横の画サイズ等が割り当てられる。またコンテンツに関するフラグ（Contents Status Flags ）は、管理対象ファイルにタイトル、サムネイル画像、イントロ等が存在するか否かを示すフラグが設定される。
【０１１９】
作成時刻（Creation Time ）、編集日時（Modification Time ）には、管理対象ファイルの作成日時、編集日時が記録される。デュレーション（Duration）は、管理対象ファイルの再生時間が割り当てられる。
【０１２０】
ファイル識別子（Binary File Identifier）は、管理対象ファイルの所在を記述して構成され、この実施例では光ディスク２に記録した対応する管理対象ファイルのファイル名又は対応するフォルダのフォルダ名が割り当てられる。ここでディスクタイトルに係るルートディレクトリに割り当てられるプロパティエントリにおいては、本来、対応するファイルが存在しないことにより、このファイル識別子（Binary File Identifier）は、何ら意味を持たない値が設定されるべきである。またフォルダについても同様である。しかしながらこの実施例では、光ディスクに記録した動画ファイルのファイル名をこのファイル識別子（Binary File Identifier）に割り当てることができるようになされ、これによりルートディレクトリに対して、さらにはフォルダに対して動画ファイルを登録できるようになされている。しかしてこの場合、この関連付けにより、アプリケーションによって、光ディスクのローディング直後、この登録された動画ファイルにより使用に関する情報等を案内することができ、また特別のタイトルを再生することも可能となる。これによりこのインデックスファイルでは、従来に比して操作性を向上するようになされている。
【０１２１】
ファイルサイズ（File Size ）は、管理対象ファイルのファイルサイズが記録される。これによりインデックスファイルにおいては、この光ディスク２を再生するハードウエア、ソフトウエアの構成により管理対象ファイルを処理可能か否かを迅速に判断できるようになされている。なおこの判断については、このファイルサイズ（File Size ）の記録だけで判断する場合のみならず、このファイルサイズ（File Size ）の記録をデュレーション（duration）で割り算して計算されるデータ転送レートによっても、さらにはファイルサイズ（File Size ）、データ転送レートと対象ファイルのフォーマット等によっても判断されることになる。これによりこのインデックスファイルでは、従来に比して操作性を向上するようになされている。
【０１２２】
参照ファイル数（Referred Counter）は、管理対象ファイルが参照関係にある場合に、この参照する子ファイルの数が設定される。しかしてこの参照関係にあっては、例えば外部参照形式によるＱＴファイルにおいて、リソースファイルからメディアデータファイルを参照する場合等がある。
【０１２３】
拡張データ（Extension Data）は、このプロパティエントリ自体の拡張のために種々のフィールドが割り当てられる。なおこの拡張データ（Extension Data）による記述によりこのプロパティエントリが１つのエントリに設定されている固定長のデータ量を越える場合、上述した拡張プロパティエントリにより記述される。
【０１２４】
図７は、この拡張データ（Extension Data）に割り当てられるフィールドの１つであるグループ内ファイル管理リスト拡張データの構造を示す図表である。ここでグループ内ファイル管理リスト拡張データは、再生時に同時に処理される複数ファイルについて、これら複数ファイルを代表するプロパティエントリによりこれら複数ファイルをまとめて管理する場合に適用される。具体的に、インデックスファイルでは、このグループ内ファイル管理リスト拡張データにより、例えば外部参照形式により複数ファイルで形成されるＱＴファイルを、このＱＴファイルのリソースファイルに対応するプロパティエントリにまとめて登録できるようになされ、これにより操作性を向上できるようになされている。またこのまとめた登録により、個々のファイルに係るインデックスファイルのエントリについては省略するようになされ、この省略によりインデックスファイルにおけるエントリの数を低減して操作性を向上するようになされている。
【０１２５】
ここでこのグループ内ファイル管理リスト拡張データでは、この拡張データのサイズ（Size）、グループ内ファイル管理リスト拡張データを示すタイプ（Type）が割り当てられ、続いて関連するファイルのエントリ（Grouped File Entries）が関連するファイルの分、順次割り当てられる。ここで各関連するファイルのエントリ（Grouped File Entries）は、図８に示すように構成される。すなわちこのエントリには、図６について上述したと同様のフォーマットにより関連するファイルを指し示すファイル識別子（Binary File Identifier）が設けられ、続いてこのファイルのファイルサイズ（File Size ）、このファイルに係る参照ファイル数（Referred Counter）が記録される。
【０１２６】
ここで図９（Ｂ）は、Ｃ言語の記述により、このようなグループ内ファイル管理リスト拡張データによりＱＴファイルのリソースファイルに係るプロパティエントリに、関連する動画ファイル、音声ファイル（図９（Ａ））のエントリを記録したものである。このプロパティエントリでは、基本プロパティデータ（Basic Property Data ）のファイル識別子（Binary File Identifier）によりリソースファイルが指し示され、このリソースファイルのファイルサイズ、参照ファイル数がそれぞれファイルサイズ（File Size ）、参照ファイル数（Referred Counter）により表される。またグループ内ファイル管理リスト拡張データの先頭のエントリ（Grouped File Entries）のファイル識別子（Binary File Identifier）により動画ファイルが指し示され、この動画ファイルのファイルサイズ、参照ファイル数がそれぞれこのフィールドのファイルサイズ（File Size ）、参照ファイル数（Referred Counter）により表される。また続くエントリ（Grouped File Entries）のファイル識別子（Binary File Identifier）により音声ファイルが指し示され、この音声ファイルのファイルサイズ、参照ファイル数がそれぞれこのフィールドのファイルサイズ（File Size ）、参照ファイル数（Referred Counter）により表される。
【０１２７】
しかして図９（Ｃ）に示すプロパティファイルにおいては、プロパティエントリと拡張プロパティエントリとによりこれらのグループ内ファイル管理リスト拡張データが表されるようになされている。
【０１２８】
さらに図１０は、ディスクタイトルプロパティ拡張データを示す図表である。ディスクタイトルプロパティ拡張データは、上述したようにルートディレクトリに係るディスクタイトルのプロパティエントリ等において、基本プロパティデータ（Basic Property Data ）のファイル識別子（Binary File Identifier）によりファイルを指し示すように設定した場合、すなわちディスクタイトルに係るエントリより動画ファイルを指し示すように設定した場合に設けられる。
【０１２９】
ここでディスクタイトルプロパティ拡張データは、この拡張データのサイズ（Size）、ディスクタイトルプロパティ拡張データを示すタイプ（Type）が割り当てられ、続いてオーナーＩＤ（Owner ID）、アプリケーションＩＤ（Application ID）が割り当てられる。ここでこのオーナーＩＤ（Owner ID）は、基本プロパティデータ（Basic Property Data
）のファイル識別子（Binary File Identifier）によりファイルを指し示すように設定した場合の、設定に係るオーナーを特定する識別コードが設定される。またこのファイル識別子（Binary File Identifier）により指し示されるファイルに係るアプリケーションを特定する識別コードがアプリケーションＩＤ（Application ID）に割り当てられる。なおオーナーＩＤ（Owner ID）は、値０に設定した場合には、この光ディスク装置１のユーザーにより登録されたことが示されるようになされている。これによりこのインデックスファイルでは、例えばこの光ディスクのローディング時にこの基本プロパティデータ（Basic Property Data ）のファイル識別子（Binary File Identifier）により指し示される映像ファイル、音楽ファイルを自動的に再生する場合に、このオーナーＩＤ（Owner ID）を基準にしてこれらファイルの再生を中止するようになされている。またアプリケーションＩＤ（Application ID）により対応するアプリケーションにより再生するようになされ、これらによっても一段と操作性を向上するようになされている。
【０１３０】
図１１は、同様の拡張データであるファイル間の関連情報拡張データを示す図表である。このファイル管理情報は、管理対象のファイルの記録、更新等により併せて更新することが必要な他のファイルが存在する場合に適用される。具体的に、例えば図１２に示すように、光ディスク２の連続した領域に、映像ファイルによるファイルＡとダミーデータによるファイルＢとを所定データ量単位で交互に記録することにより、ファイルＡを再生して得られる映像データを途切れることなく再生可能に、ファイルＡの途中に空き領域を形成してファイルＡを記録した後（図１２（Ａ）〜（Ｃ））、このファイルＢに係る空き領域にアフレコに係るファイルＣを断片化して記録した場合が相当する（図１２（Ｄ））。しかしてこれのようなインターリーブに係る記録においては、映像ファイルＡ、アフレコのファイルＣの双方を途切れることなく再生する場合に適用される。
【０１３１】
この場合、このアフレコに係るファイルＣの更新、削除等を繰り返してアフレコを繰り返す場合、アフレコのファイルＣを記録して残る空き領域にあっては、ダミーデータによる別ファイルＤとして管理し（図１２（Ｅ））、ファイルＣを削除した場合には、空き領域に係るファイルＤが記録されている領域に、この削除に係るファイルＣが記録されていた領域を加えることが必要になる。すなわち図１２（Ｃ）の状態に戻すことが必要になり、このようにしなければ、結局、アフレコの繰り返しにより、映像ファイルＡの間に事前に設けられた空き領域にアフレコファイルを記録し得なくなる。
【０１３２】
ファイル間の関連情報拡張データは、このような関係が存在する場合に、実データが割り当てられている側のファイルＣのプロパティエントリに設けられる。
【０１３３】
ここでファイル間の関連情報拡張データは、この拡張データのサイズ（Size）、ファイル間の関連情報拡張データを示すタイプ（Type）が割り当てられ、関連するファイル（図１２の例ではファイルＤである）が割り当てられているプロパティエントリのエントリ番号（Entry Number）が割り当てられる。これによりこの実施例では、従来に比して操作性を向上できるようになされている。
【０１３４】
これに対して図１３は、同様の拡張データであるプライベートインデックスファイルリストを示す図表であり、図１４は、このプライベートインデックスファイルリストの各フィールドを詳細に示す図表である。ここでプライベートインデックスファイルリストは、ひとつのインデックスファイルに対して、ひとつだけ存在すればよいものであり、通常は記録媒体のルートディレクトリに対応するオリジナルフォルダプロパティエントリに登録される。
【０１３５】
ここでインデックスファイルにおいては、光ディスク２に記録されたファイルを紹介するものであることにより、種々のアプリケーションで使用されることが予測される。これにより何れのアプリケーションによっても利用できることが求められる。しかしながらアプリケーションでは必要とする抜粋情報の種類が種々に異なることにより、アプリケーションによっては、専用のインデックスファイルが求められる場合もある。これによりこの実施例では、アプリケーションに固有のインデックスファイルであるプライベートインデックスファイルの登録を認める。
【０１３６】
ここでこのプライベートインデックスファイルは、アプリケーション毎の抜粋情報を集めたファイルであり、アプリケーション毎に光ディスク２に１つ登録できるようになされている。プライベートインデックスファイルは、図１５に示すように、インデックスファイルと同様のＱＴファイル構造により構成され、インデックスファイルのプロパティエントリに対応するプライベートインデックスデータが設けられるようになされ、このプライベートインデックスデータによりそれぞれ抜粋情報を登録できるようになされている。また各プライベートインデックスデータがそれぞれインデックスファイルの対応するプロパティエントリに対応付けられるようになされている。
【０１３７】
またプライベートインデックスファイルは、プライベートインデックスデータが固定長により形成され、これによりインデックスファイルの対応するプロパティエントリとの対比により先頭プライベートインデックスデータの開始位置、プロパティエントリのエントリ番号、この固定長のデータ長により、対応するプライベートインデックスデータの開始位置を検出できるようになされている。なおこの図１５にあっては、インデックスファイルの全てのプロパティエントリに対して、プライベートインデックスデータが登録されているように示されているが、プライベートインデックスデータにあっては、アプリケーションにより必要に応じて設けられる。
【０１３８】
プライベートインデックスファイルリストは、このようなプライベートインデックスファイルが設けられている場合に設けられる。プライベートインデックスファイルリストにおいては（図１３）、拡張データのサイズ（Size）、プライベートインデックスファイルリストを示すタイプ（Type）が割り当てられ、続いてプライベートインデックスファイルの数（Private Index File Count）が設けられ、続いて個々のプライベートインデックスファイルの情報（Private Index File Information）がプライベートインデックスファイルの数（Private Index File Count）だけ設けられる。
【０１３９】
またこの個々のプライベートインデックスファイルの情報（Private Index File Information）は、図１４に示すように、プライベートインデックスファイルを使用するアプリケーションを特定するオーナー情報（Owner Information ）、プライベートインデックスファイルのファイル名（Private Index File Name ）により形成される。
【０１４０】
ところでこのようなプライベートインデックスファイルの使用においては、この光ディスク２が種々の機器で操作されることを意味している。しかして特定の機器におけるファイルの削除等によりインデックスファイルへのファイルの登録が削除された場合、この機器においては、自己のアプリケーションに係るプライベートインデックスファイルについては、インデックスファイルを同様に更新することができる。しかしながら他のアプリケーションに係るプライベートインデックスファイルについては、このようなインデックスファイルからの登録削除に対して、必ずしも対応する処理を施し得ない場合がある。
【０１４１】
これによりこのインデックスファイルでは、さらに図１６に示すプライベートデータ状態フラグが拡張データに設けられる。ここでプライベートデータ状態フラグは、個々のプライベートインデックスファイルの情報（Private Index File Information）の配置に対応する順序により順次設けられる。プライベートデータ状態フラグは、拡張データのサイズ（Size）、プライベートデータ状態フラグを示すタイプ（Type）が割り当てられ、続いて有効無効を示すフラグ（Validity Flags）が設定されるようになされている。
【０１４２】
これにより例えば上述したように特定のアプリケーションにより対応するファイルの登録が削除され、その後、この削除に係るプロパティエントリに他のファイルが再登録された場合、これまでこのファイルに係るプロパティエントリに登録されていたプライベートデータ状態フラグが拡張データのプライベートデータ状態フラグにおいては、この再度の記録に係るアプリケーションプログラムのプライベートインデックスファイルについてのみ有効に設定され、他のアプリケーションプログラムのプライベートインデックスファイルについては無効に設定されるようになされている。これによってもこの実施例では、従来に比して一段と操作性を向上できるようになされている。
【０１４３】
（１−４）システム制御マイコンにおけるインデックスファイルの処理
（１−４−１）ファイルサイズに係る処理
システム制御マイコン１９は、ユーザーの指示による撮像結果の記録の指示により、撮像結果と対応する音声データによるＱＴファイルを光ディスク２に記録し、またこの記録時に取得したＱＴファイルに係る情報によりメモリに保持したインデックスファイルに各種エントリを設定してインデックスファイルを更新し、このメモリに保持したインデックスファイルにより光ディスク２に記録されたインデックスファイルを更新する。
【０１４４】
この処理において、システム制御マイコン１９は、ＱＴファイルのファイルサイズを検出し、基本プロパティデータ（Basic Property Data ）のファイルサイズ（File Size ）にこのファイルサイズを記録してインデックスファイルを作成する。これによりこの光ディスク装置１では、このインデックスファイルへのファイルサイズの登録により再生時の処理を簡略化し、操作性を向上するようになされている。なおこの光ディスク装置１では、ＱＴファイルを外部参照形式により記録することにより、図９に示すように、映像ファイル、音声ファイルとこれらを管理するリソースファイルによりＱＴファイルを光ディスク２に記録する。またこの記録に対応して図９に示すように、リソースファイルに対応するプロパティエントリにまとめてこれらのファイルのファイルサイズを記録する。
【０１４５】
これに対して図１７は、この光ディスク２の装填時、この光ディスク装置１の電源立ち上げ時におけるファイルサイズ（File Size ）の処理に係る処理手順を示すフローチャートである。システム制御マイコン１９は、光ディスク２が装填されると、又は光ディスク装置１の電源が立ち上げられると、この処理手順を開始してステップＳＰ１からステップＳＰ２に移る。ここでシステム制御マイコン１９は、光ディスク２のファイル管理システムによりインデックスファイルをロードしてメモリに記録する。また続くステップＳＰ３において、プロパティエントリの先頭エントリを処理対象に設定する。
【０１４６】
システム制御マイコン１９は、続くステップＳＰ４において、処理対象のエントリにつて、プロパティエントリフラグの設定によりこのプロパティエントリがファイルに対して設けられたものか否か判断し、ここで否定結果が得られると、ステップＳＰ５に移り、全てのエントリについて処理を完了したか否か判断する。ここで否定結果が得られると、システム制御マイコン１９は、ステップＳＰ６に移り、処理対象を次のプロパティエントリに設定した後、ステップＳＰ４に戻る。
【０１４７】
これに対してステップＳＰ４で肯定結果が得られると、システム制御マイコン１９は、ステップＳＰ４からステップＳＰ７に移る。ここでシステム制御マイコン１９は、ファイルサイズ（File Size ）が処理可能か否か判断し、ここで否定結果が得られると、ステップＳＰ８に移り、このプロパティエントリに係るファイルを再生不可に設定した後、ステップＳＰ５に移る。
【０１４８】
これに対してステップＳＰ７で肯定結果が得られると、システム制御マイコン１９は、ステップＳＰ９に移り、ファイルサイズ（File Size ）をデュレーション（duration）で割り算してこのファイルの平均ビットレートを計算する。さらにこの平均ビットレートにより処理可能か否か判断し、ここで否定結果が得られると、ステップＳＰ８に移る。なおこの場合に、上述したＱＴファイルについては、ファイル毎にこれらの判断の処理を実行し、何れかのファイルで再生困難な場合、ステップＳＰ８に移る。これに対してステップＳＰ９で肯定結果が得られると、システム制御マイコン１９は、ステップＳＰ１０に移り、このプロパティエントリに登録されているファイルを再生可能に設定した後、ステップＳＰ５に移る。
【０１４９】
これによりシステム制御マイコン１９は、プロパティエントリに記録されたファイルサイズ（File Size ）によりインデックスファイルに登録された全てのファイルについて、再生可能か否か判断し、再生可能な場合についてのみ、対象ファイルのメニューを表示してユーザーにより再生の操作を受け付ける。なおこの場合に、再生可能なファイルと再生困難なファイルとでメニューの表示色、表示形態を異ならせて表示し、再生困難なファイルについてはユーザーによる操作を受け付けないようにしてもよい。なおシステム制御マイコン１９は、この一連の処理において、管理対象ファイルのフォーマット等についても、インデックスファイルの登録より再生可能か否か判断し、この判断をユーザーインターフェースに反映させるようになされている。
【０１５０】
なおシステム制御マイコン１９は、このようにしてユーザーインターフェースを表示してユーザーにより編集の処理が指示され、この編集の処理によりファイルサイズが変更されると、この変更に対応するように、編集に係るファイルのプロパティエントリについてファイルサイズを変更するようになされている。
【０１５１】
（１−４−２）グループ内ファイル管理リスト拡張データに係る処理
またシステム制御マイコン１９は、グループ内ファイル管理リスト拡張データに関して、光ディスク２に記録されるファイルがＱＴファイルであることにより、図７〜図９について上述したフォーマットに従って対応するプロパティエントリを作成する。また再生時においては、このグループ内ファイル管理リスト拡張データによりユーザーインターフェースを提供する。
【０１５２】
すなわちシステム制御マイコン１９は、ユーザーにより撮像結果の記録が指示された場合、撮像結果に係る映像ファイル、音声ファイルを光ディスク２に記録し、またこれらのファイルのリソースファイルを光ディスク２に記録する。またメモリに記録してなるインデックスファイルにプロパティエントリ、サムネイル画像エントリ、テキストエントリを確保してこのＱＴファイルに係るエントリを登録する。このときシステム制御マイコン１９は、ＱＴファイルを構成する複数ファイルを代表するファイルであるソースファイルについて、これら登録の処理を実行し、このソースファイルに係るプロパティエントリを拡張して他の映像ファイル及び音声ファイルに関するファイル識別子等を登録する。またこのようにして登録したインデックスファイルを光ディスク２に記録する。これによりこのシステム制御マイコン１９は、同時に再生する密接するファイルについては、代表するファイルのプロパティエントリに管理情報をまとめて登録し、その分、操作性を向上するようになされている。
【０１５３】
また再生時において、システム制御マイコン１９は、このように拡張してなるプロパティエントリの記録により、１つのＱＴファイルに対しては１つのアイコンの表示によりユーザーインターフェースを提供し、このアイコンの操作により再生対象の選択を受け付ける。なおシステム制御マイコン１９は、この実施例のように１つのプロパティエントリに管理情報をまとめて記録していないインデックスファイルについては、ＱＴファイルを構成する複数ファイル毎にメニューを表示してユーザーによる操作を受け付けるようになされている。なおこの従来構成に係るインデックスファイルについては、ファイル管理システムの記録によりソースファイルを検出し、このソースファイルの記録により、他の映像ファイル、音声ファイルについては、メニューを表示しないようにすることもでき、このようにすれば、代表ファイルにより管理情報をまとめて登録したＱＴファイルと、従来構成による登録に係るＱＴファイルとで、統一されたユーザーインターフェースを提供してユーザーの使い勝手を向上することができる。
【０１５４】
（１−４−３）ディスクタイトルに係る処理
この実施例において、光ディスク２は、事前にインデックスファイルが記録されたものも提供される。ここでこのような事前のインデックスファイルの記録にあっては、この光ディスク２の製造工程において、この光ディスク２の製造メーカー名、光ディスク２の商品名等を動画により表示する映像ファイルが記録され、プロパティエントリの先頭エントリにおいて、基本プロパティデータ（Basic Property Data ）のファイル識別子（Binary File Identifier）（図６）によりこの映像ファイルを指し示すようにインデックスファイルが記録されるようになされている。またこれに対応して図１０について上述した拡張データが設けられるようになされている。なおこの場合、オーナーＩＤ（Owner ID）は、この光ディスク２の製造メーカーを特定する識別コードが設定され、アプリケーションＩＤ（Application ID）は、この映像ファイルを再生するアプリケーションに係る識別コードが設定されるようになされている。
【０１５５】
このようにして事前にインデックスファイルを登録して提供される光ディスク２について、さらには撮像結果の記録によりインデックスファイルを記録した光ディスク２について、ユーザーによりディスクタイトルの編集が指示されると、システム制御マイコン１９は、インデックスファイルの更新により、基本プロパティデータ（Basic Property Data
）のファイル識別子（Binary File Identifier）によりユーザーにより指示されたファイルを指し示すように設定する。またこの場合、図１０について上述した拡張データにおいて、オーナーＩＤ（Owner ID）を値０に設定し、アプリケーションＩＤ（Application ID）を、この光ディスク装置１のアプリケーションに係る識別コードに設定する。なおこの映像ファイルにおいては、コンピュータ等の外部機器より光ディスク２に記録した映像ファイル、この光ディスク装置１で記録した映像ファイル等が適用される。
【０１５６】
これによりこの光ディスク装置１では、ディスクタイトルに映像ファイルを適用して、例えば光ディスク２のオープニング等に利用できるようになされ、その分、インデックスファイルによる操作性を向上するようになされている。
【０１５７】
しかして図１８は、この光ディスク２の装填時、この光ディスク装置１の電源立ち上げ時におけるディスクタイトルに係るシステム制御マイコン１９の処理手順を示すフローチャートである。システム制御マイコン１９は、光ディスク２が装填されると、又は光ディスク装置１の電源が立ち上げられると、図１７について上述したように、この処理手順を開始してステップＳＰ２１からステップＳＰ２２に移り、光ディスク２のファイル管理システムによりインデックスファイルをロードしてメモリに記録し、また続くステップＳＰ２３において、プロパティエントリの先頭エントリを処理対象に設定する。
【０１５８】
これによりシステム制御マイコン１９は、ルートディレクトリに対応するプロパティエントリを処理対象に設定して、続くステップＳＰ２４において、基本プロパティデータ（Basic Property Data ）のファイル識別子（Binary File Identifier）がファイルを指し示すように設定されているか否か判断する。
【０１５９】
ここで否定結果が得られると、システム制御マイコン１９は、ステップＳＰ２４からステップＳＰ２５に移り、このプロパティエントリのプロパティエントリヘッダに記録されているサムネイル画像エントリインデックス（Thumbnail Picture Entry Index ）、テキストエントリインデックス（Title Picture Entry Index ）より、サムネイル画像、テキストが登録されているか否か判断し、ここで否定結果が得られると、ステップＳＰ２５からステップＳＰ２６に移ってこの処理手順を終了する。これによりこの場合、システム制御マイコン１９は、何ら光ディスク２に係るタイトルを表示することなく、このディスクタイトルに係る処理手順を終了する。これに対してステップＳＰ２５で肯定結果が得られると、ステップＳＰ２７に移り、このサムネイル画像エントリインデックス（Thumbnail
Picture Entry Index ）又はテキストエントリインデックス（Title Picture Entry Index ）によりサムネイル画像エントリ、テキストエントリの対応するエントリのデータをロードする。またこのロードしたデータを表示した後、ステップＳＰ２６に移ってこの処理手順を終了する。これによりシステム制御マイコン１９は、この場合、サムネイル画像、テキストを表示してこの光ディスク２のディスクタイトルに係る表示を実行する。
【０１６０】
これに対してステップＳＰ２４で肯定結果が得られると、システム制御マイコン１９は、ステップＳＰ２４からステップＳＰ２８に移る。ここでシステム制御マイコン１９は、このプロパティエントリの拡張データに設定されたオーナーＩＤがこの光ディスク装置１において再生が許可されるものか否か判断する。ここでこの実施例において、システム制御マイコン１９は、このオーナーＩＤが、この光ディスク装置１の製造メーカーを示す識別コードの場合、又は値０の場合、再生が許可されるものと判断し、これ以外のものの場合、ステップＳＰ２８からステップＳＰ２５に移る。これによりシステム制御マイコン１９は、他社のディスクタイトルに係る映像ファイルについては、表示しないようになされている。
【０１６１】
これに対してこのオーナーＩＤが、この光ディスク装置１の製造メーカーを示す識別コードの場合、又は値０の場合、ステップＳＰ２８で肯定結果が得られることにより、システム制御マイコン１９は、ステップＳＰ２８からステップＳＰ２９に移る。ここでシステム制御マイコン１９は、アプリケーションＩＤの判定により、ファイル識別子（Binary File Identifier）により指示される映像ファイルが再生可能なものか否か判断し、ここで否定結果が得られると、ステップＳＰ２９からステップＳＰ２５に移るのに対し、肯定結果が得られると、ステップＳＰ２９からステップＳＰ３０に移る。
【０１６２】
システム制御マイコン１９は、このステップＳＰ３０において、ファイル識別子（Binary File Identifier）により指示される映像ファイルの再生を指示し、この映像ファイルを表示した後、ステップＳＰ３０に移ってこの処理手順を終了する。
【０１６３】
これによりシステム制御マイコン１９は、光ディスク２の装填時、電源の立ち上げ時においては、光ディスク２のルートディレクトリに対応するプロパティエントリにより登録された映像ファイルを表示して、例えば光ディスク２に係る各種情報をユーザーに提供し、さらには光ディスク２に記録された各種ファイルのオープニングの映像を表示するようになされている。
【０１６４】
（１−４−４）代理ファイルエントリに係る処理
システム制御マイコン１９は、このようにしてオープニングの映像を表示すると、ユーザーによる設定によりインデックスファイルに登録された各ファイルのサムネイル画像によりアイコンを表示する。またこのようにしてアイコンを表示してユーザーによるサムネイル画像の別途の登録が指示されると、ユーザーによる操作に応動してこのサムネイル画像の登録を受け付け。
【０１６５】
この処理においてシステム制御マイコン１９は、ユーザーによる指示により登録に供するサムネイル画像の選択を受け付け、このサムネイル画像をサムネイル画像エントリに登録する。またこのサムネイル画像エントリを指し示すように、プロパティエントリを登録する（図３〜図６）。このときプロパティエントリにおいては、プロパティエントリ種別（Property Entry Type ）を値１に設定してこのプロパティを代理プロパティエントリ（Shadow File Property Entry）に設定し、またこのプロパティエントリの親エントリ（Parent Entry）に本来のプロパティエントリのエントリ番号を登録する。これによりこの実施例においては、必要に応じてこの代理プロパティエントリに係るサムネイル画像を使用してアイコン等を表示できるようになされ、その分、このインデックスファイルによる操作性を向上するようになされている。なおテキストのエントリに関しても、システム制御マイコン１９は、同様にユーザーによる代理プロパティエントリの登録を受け付ける。
【０１６６】
しかしてシステム制御マイコン１９は、このように代理プロパティエントリによりサムネイル画像、テキストを別途登録している場合にあって、ユーザーによりこの別途の登録に係るメニュー等の表示が指示されると、代理プロパティエントリによる登録が存在するファイルについては、この代理プロパティエントリによるサムネイル画像、テキストによりメニュー等を表示する。
【０１６７】
（１−４−５）関連するファイルに係る処理
システム制御マイコン１９は、光ディスク２に撮像結果を記録する際に、ユーザーによりアフレコによる処理が指示されている場合、光ディスク２のファイル管理システムに撮像結果の映像ファイルＡと、ダミーデータによるアフレコ時の領域確保用のファイルＢとの記録を指示し、各ファイルＡ及びＢによるデータを所定データ量づつ、交互に光ディスク２に記録する。これによりシステム制御マイコン１９は、ファイルＡを再生して得られる映像データを途切れることなく再生可能に、ファイルＡの途中に空き領域を形成してファイルＡを記録する（図１２（Ａ）〜図１２（Ｃ））。
【０１６８】
またこのようにして撮像結果を記録して、この映像ファイルＡのアフレコが指示されると、システム制御マイコン１９は、アフレコに係る音声ファイルＣと、ダミーデータによるファイルＤとを交互に光ディスク２に出力して、映像ファイルＡの途中にダミーファイルＢにより確保されている領域に、音声ファイルＣを記録する。これによりこの光ディスク装置１では、音声ファイルＣと映像ファイルＡとをインターリーブして光ディスク２に記録して、これら音声ファイルＣと映像ファイルＡとを同時に再生して、これら音声ファイルＣと映像ファイルＡとをそれぞれ途切れることなく再生することができるようになされている。
【０１６９】
システム制御マイコン１９は、このような各ファイルＡ〜Ｄの光ディスク２への記録に対応して、インデックスファイルにこれらファイルＡ〜Ｄを登録する。このときダミーファイルＢにより事前に確保した領域に記録されてなるファイルＣ及びＤについては、実データが割り当てられているファイルＣのプロパティエントリが拡張されて（図１１）、関連するファイルＤの登録に係るプロパティエントリを指し示すように、エントリ番号が登録される。
【０１７０】
システム制御マイコン１９は、このようにして記録してなる音声ファイルＣの削除が指示されると、音声ファイルＣを光ディスク２から削除し、またインデックスファイルから登録を削除する。このインデックスファイルからの削除の際に、この削除に係る音声ファイルＣのプロパティエントリに登録されているファイルＤを指し示すエントリ番号により、ダミーファイルＤに係るプロパティエントリを検出し、このプロパティエントリにより音声ファイルＣの削除された領域を、ダミーファイルＤの領域に書き戻す。これにより光ディスク装置１では、光ディスク２上における情報記録面を図１２（Ｂ）に示す状態に戻す。またこの書き戻しに対応するように、ダミーファイルＤに係るプロパティエントリを更新する。
【０１７１】
これに対してユーザーにより音声ファイルＣの更新が指示されると、音声ファイルＣを上書きにより更新し、この更新に対応するように、この音声ファイルＣに係るプロパティエントリを更新する。またこの音声ファイルＣのプロパティエントリに登録されているファイルＤを指し示すエントリ番号により、ダミーファイルＤに係るプロパティエントリを検出し、同様に、音声ファイルＣの更新に対応するように、このダミーファイルＤに係るプロパティエントリを更新する。
【０１７２】
これによりこの光ディスク装置１では、アフレコを繰り返す場合にあっても、このプロパティエントリに係る簡易な管理により、繰り返しに係る音声ファイルを、当初、ダミーファイルＢにより確保した領域に記録することができ、これによりアフレコを繰り返す場合にあっても、音声ファイルＣと映像ファイルＡとを同時に再生して、これら音声ファイルＣと映像ファイルＡとをそれぞれ途切れることなく再生することができるようになされている。
【０１７３】
（１−４−６）プライベートインデックスファイルに係る処理
さらにシステム制御マイコン１９は、このようにして各ファイルの抜粋情報を登録してなるインデックスファイルに係る処理において、さらにはファイルに係る処理において、この光ディスク装置１に特有のアプリケーションが立ち上げられ、このアプリケーションプログラムによりこのアプリケーションの処理の利便を図る抜粋情報等の別途の登録が指示されると、この抜粋情報によりプライベートインデックスファイルを作成し（図１３〜図１６）、光ディスク２に記録する。これにより光ディスク装置１では、各アプリケーションで共通で使用するインデックスファイルには何ら手を加えることなく、このアプリケーションに固有のプライベートインデックスファイルが光ディスク２に記録され、このプライベートインデックスファイルの利用により操作性を向上するようになされている。
【０１７４】
このプライベートインデックスファイルの光ディスク２への記録に際して、システム制御マイコン１９は、インデックスファイルの対応するプロパティエントリにプライベートインデックスファイルのリストを記録し、また各プライベートインデックスファイルのオーナー情報（Owner Information ）、プライベートインデックスファイルのファイル名（Private Index File Name ）を登録する。
【０１７５】
またシステム制御マイコン１９は、このプライベートインデックスファイルにあっては、プロパティエントリに対応するプライベートインデックスデータを固定長により作成し、またこのプライベートインデックスデータがインデックスファイルのプロパティに対応するように連続して形成する。これにより光ディスク装置１では、プライベートインデックスファイルに設けられた先頭プライベートインデックスデータの開始位置であるオフセットＨ、プロパティエントリのエントリ番号Ｅ、各固定長さの固定サイズＸによりＸ×（Ｅ−１）＋Ｈにより、対応するプライベートインデックスデータを求めることができるようになされている。
【０１７６】
しかしてこのようなプライベートインデックスファイルが他の装置により登録された光ディスク２が装填される場合もあることにより、システム制御マイコン１９は、光ディスク２のローディングにより、又は電源の立ち上げにより、オーナー情報（Owner Information ）、プライベートインデックスファイルのファイル名（Private Index File Name ）により対応するプライベートインデックスファイルを検出し、ユーザーによるアプリケーションの指示によりこの対応するプライベートインデックスファイルの利用によりユーザーインターフェースを提供する。
【０１７７】
またこのようにしてユーザーインターフェースを提供して、ユーザーによりファイルの削除等が指示されると、インデックスファイルの対応するプライベートエントリに記録されたプライベート状態フラグの記録において、有効無効を示すフラグ（Validity Flags）を無効に設定し、これによりこの削除等に係るファイルのプライベートインデックスデータを登録してなるプライベートインデックスファイルについては、この削除に係るファイルの登録が無効である旨、記録する。
【０１７８】
しかしてシステム制御マイコン１９は、対応するプライベートインデックスファイルによりユーザーインターフェースを提供する場合等にあっては、このようにして有効無効を示すフラグ（Validity Flags）を無効に設定してなるプライベートインデックスデータについては、ユーザーインターフェースを提供しないようにする。これらによりこの実施例では、プライベートインデックスファイルによる登録を設けるようにして、これらプライベートインデックスファイルを実際のファイルとの間で、矛盾した記述が発生しないようになされている。なおこのようにして削除しただけの場合にあっては、実際上、インデックスファイルにおいて、このプロパティエントリが無効に設定されていることにより、このようなフラグ（Validity Flags）による設定によらなくても、インデックスファイルにより正しい状態を把握することができる。しかしながらこのような削除に係るプロパティエントリにあっては、削除により空き領域となり、改めて別ファイルが登録される場合があり、この場合には、矛盾を解消できなくなる。これによりファイルの削除により有効無効を示すフラグ（Validity Flags）を無効に設定して、矛盾した記述の発生を防止することができる。しかして改めて言及するまでもなく、システム制御マイコン１９は、上述したように、ファイルの削除に係るプロパティエントリの処理については、フラグ（Valid/Invalid ）の設定により実行し、対応するプライベートインデックスファイルが存在する限り、このプライベートインデックスファイルに係る拡張データにあっては、有効無効を示すフラグ（Validity Flags）のみが操作されるようになされている。
【０１７９】
なおこのような管理対象ファイルの変更による有効無効を示すフラグ（Validity Flags）の操作においては、この光ディスク装置１が、プライベートインデックスファイルに対応する固有のアプリケーションを有していない場合にも、必要であることは言うまでも無く、システム制御マイコン１９は、これによりファイルの削除等により対応するプロパティエントリに係る有効無効を示すフラグ（Validity Flags）を無効に設定するようになされている。
【０１８０】
なおこのような固定長によるプライベートインデックスデータの設定に代えて、プロパティエントリとプライベートインデックスデータとの対応関係を示すリストをプライベートインデックスファイルに設けるようにしてもよい。なおこのリストにあっては、例えばプロパティエントリのエントリ番号と、対応するプライベートインデックスデータのオフセット、サイズをこのリストとを対応付けて作成することが考えられる。この場合、アプリケーションは、エントリ番号により、対応するプライベートデータインデックスデータのオフセット、サイズを求めてアクセスすることになる。またこの場合に、エントリ番号に代えて、対応するファイルを指し示すファイル識別子（Binary File Identifier）を利用することも考えられる。
【０１８１】
なおプライベートインデックスファイルにあっては、インデックスファイルと同一に作成するようにしてもよい。なおこの場合、本来のインデックスファイルと、プライベートインデックスファイルに係るインデックスファイルとで、各プロパティエントリを対応付けることが必要であり、これにより上述したような各種手法により対応関係を記述することが必要になる。また例えば識別子により、さらにヘッダにより、これら本来のインデックスファイルと、プライベートインデックスファイルに係るインデックスファイルとを識別可能とすることが必要になる。
【０１８２】
しかしてシステム制御マイコン１９は、このようにしてプライベートインデックスファイルを登録してなる場合に、ユーザーによりこの光ディスク装置１に固有のアプリケーションが立ち上げられると、このアプリケーションによる処理対象のファイルについて、インデックスファイルから対応するプロパティエントリを検出し、各プロパティエントリの拡張データよりプライベートインデックスファイルの登録を検出する。またこの検出より、オーナー情報、プライベートインデックスファイルのファイル名を検出し、このユーザーにより立ち上げられたアプリケーションに対応するプライベートインデックスファイルを検出する。またこのようにしてアプリケーションに対応するプライベートインデックスファイルが検出された場合には、光ディスク２のファイル管理システムによりこの検出したプライベートインデックスファイルをメモリにロードし、各プロパティエントリに対応するプライベートインデックスデータによりユーザーインターフェースを提供する。なおこの場合にプライベートインデックスデータが未登録のプロパティエントリについては、プロパティエントリファイルによる抜粋情報を適用する。
【０１８３】
（２）実施例の動作
以上の構成において、この光ディスク装置１では（図１）、撮像手段、音声取得手段で取得した映像データ、音声データがそれぞれビデオ符号器１１、オーディオ符号器１２でエンコードされた後、ファイル生成器１５によりＱＴムービーファイルのデータストリームに変換され、メモリコントローラ１８、エラー訂正符号／復号器２１、データ変復調器２３、磁界変調ドライバ２４、光ピックアップ３３による記録系を介して光ディスク２に記録される。これによりこの光ディスク装置１では、撮像結果がＱＴムービーファイルにより光ディスク２に記録される。またこの光ディスク２のファイルの記録に対応するように、システム制御マイコン１９の出力データがこの光ディスク装置１の記録系に出力され、これにより光ディスク２のファイル管理システムに係る管理情報がこのＱＴムービーファイルの記録に対応するように更新される。
【０１８４】
またこのようにして記録したＱＴムービーファイルにおいては、ファイル管理システムによる管理情報に基づいて光ピックアップ３３、データ変復調器２３、エラー訂正符号／復号器２１、メモリコントローラ１８を介して順次再生され、ファイル復号器１６により映像データ及び音声データのエレメンタリストリームに復調された後、それぞれビデオ復号器１３、オーディオ復号器１４によりデコードされて出力される。
【０１８５】
この光ディスク装置１では、このようなＱＴムービーファイルの記録時、ファイル生成器１５よりサムネイル画像用のデータがシステム制御マイコン１９で取得され、またこのファイルの記録に前後したユーザーの入力等によりタイトルのデータがシステム制御マイコン１９で取得される。またファイル管理システムに係るファイル名等の情報が取得され、これらにより光ディスク２に記録するＱＴムービーファイルの抜粋情報がシステム制御マイコン１９で収拾される。光ディスク装置１では、光ディスク２のファイル管理システムに係る管理情報と同様に、システム制御マイコン１９に内蔵のメモリにおいて、このようにして取得した抜粋情報によりインデックスファイルが生成され、このインデックスファイルがＱＴファイルと同様に光ディスク２に記録される。またこのインデックスファイルの記録に対応するようにファイル管理システムの管理情報が更新される。
【０１８６】
このようなシステム制御マイコン１９におけるインデックスファイルの生成処理においては、抜粋情報が属性毎に分類され、各属性毎に、ＱＴムービーファイルの記録に対応するようにサムネイル画像エントリファイル、テキストエントリファイル（図３）が形成される。また各エントリの属性を示す情報、各エントリ間の関係を示す情報等がプロパティエントリファイルに設定される。また光ディスク２に記録したファイルの処理に対応してこれらエントリ間の関係を示す情報等が更新され、これらによりインデックスファイルがメモリ上で構成され、このインデックスファイルが光ディスク２に記録される。
【０１８７】
これによりこの光ディスク装置１では、このインデックスファイルにより光ディスク２に記録された各種ファイルの管理を簡略化することができるようになされている。
【０１８８】
この一連の処理において、この光ディスク装置１では、外部参照形式により光ディスク２にＱＴファイルを記録して、このＱＴファイルを構成するリソースファイル、映像ファイル、音声ファイルのファイルサイズがそれぞれ検出され、基本プロパティデータ（Basic Property Data ）のファイルサイズ（File Size ）にこのファイルサイズが記録されてインデックスファイルが形成される（図９）。これによりこの光ディスク装置１では、このインデックスファイルへのファイルサイズの登録により再生時の処理を簡略化し、さらには操作性を向上することができるようになされている。
【０１８９】
すなわち再生装置においては、サイズ、要求されるビットレートが再生対象であるファイルを再生可能か否かの判断要素となる。特に、この種の記録媒体である光ディスク２においては、コンピュータでも使用されることにより、種々のビットレートに係るファイルが、この光ディスク装置１以外の装置により記録されて光ディスク装置１に装填される場合が予測される。このようにして記録される種々のファイルにおいて、例えば静止画ファイルにおいて、ファイルサイズの大きなファイルにあっては、再生装置の構成によってはデコードできない場合もある。また高いビットレートによるデータ処理には再生装置が対応できない場合もある。
【０１９０】
しかしながら従来のインデックスファイルにおいては、このような再生可能か否かの判断要素の１つであるファイルサイズについては、記録し得ず、これによりこの再生対象のファイルを記録してなるファイル管理システムからファイルサイズを検出するしかなかった。
【０１９１】
しかしながらこの実施例のように、インデックスファイルにファイルサイズ（File Size ）のフィールドを設けて管理対象ファイルのファイルサイズを登録すれば、再生装置においては、インデックスファイルの記録により再生可能か否か判断し得、その分、ファイル管理システムにより各ファイルのファイルサイズを検出しなくても良いことにより、処理に要する時間、さらには再生時における負担を軽減することができ、その分、操作性を向上することができる。
【０１９２】
これによりこの実施例においては（図１８）、インデックスファイルをロードしてファイルサイズを検出し、この検出結果により再生困難なファイルか否か判断することにより、ファイル管理システムよりファイルサイズのデータをいちいち取得しなくても、再生困難なファイルか否か判断することができ、処理に要する時間を軽減してインデックスファイルの操作性を向上するようになされている。
【０１９３】
またこの実施例では、光ディスク２の装填により、又は電源の投入により、このような判断を事前に実行し、この判断結果に基づいてユーザーインターフェースを提供して再生可能なファイルについてユーザーの操作を受け付けることにより、再生困難なファイルの再生を指示する等の、ユーザーの無駄な操作を防止することができ、これによってもインデックスファイルに係る操作性を向上することができるようになされている。
【０１９４】
またこの光ディスク装置１では、撮像結果の記録に係るＱＴファイルについては、外部参照形式により映像ファイル、音声ファイル、リソースファイルにより光ディスクに記録し、これらファイルのうちの代表のファイルであるリソースファイルに係るプロパティエントリに、これら複数ファイルの管理情報がまとめて記録される（図３）。また再生時においては、このようにしてまとめて管理情報を記録してなるリソースファイルについてのみ、メニューを表示してユーザーの操作を受け付ける。
【０１９５】
しかして従来のインデックスファイルでは、１つのファイルを１つのプロパティエントリに登録するようになされており、このため外部参照形式に係るＱＴファイルのように、再生時に同時に処理される複数ファイルにあっては、本来、ユーザーにおいては１つのコンテンツと認識しているものであっても、各ファイル毎にプロパティエントリを設けることが必要であった。これにより従来のインデックスファイルにおいては、コンテンツ数に比してプロパティ数が増大し、その分、インデックスファイルを一時記録して保持するメモリの容量、さらにはインデックスファイルの処理系における処理量が増大してしまい、その分、操作性が劣化する問題があった。
【０１９６】
しかしながらこの実施例のように、１つのファイルに係るプロパティエントリに、抜粋情報をまとめて記録すれば、その分、エントリ数の増大を防止することができ、これによりメモリの容量の増大を防止することができる。またインデックスファイルの処理系における処理量の増大を防止することができ、これらにより操作性を向上することができる。
【０１９７】
またこのような登録に係るプロパティエントリが、ＱＴファイルを構成する複数ファイルを代表するファイルのプロパティエントリであることにより、簡易かつ確実に他の映像ファイル、音声ファイルをアクセスすることができ、再生時等における処理を一段と簡略化することができる。
【０１９８】
またこれら複数ファイルに１つのアイコンが割り当てられることにより、ユーザーによる操作性を向上し、これによりユーザーの使い勝手を向上することができる。すなわち従来のインデックスファイルにおいては、これら複数ファイルがそれぞれプロパティエントリに登録されることにより、これら複数ファイルのそれぞれにアイコンが表示され、この複数のアイコンよりリソースファイルのアイコンを選択して操作することが必要になる。これに対してこの実施例では、このようなアイコンの選択に係る作業を省略することができ、その分、操作性を向上してユーザーの使い勝手を向上することができる。なおＱＴファイルにおいては、長時間の記録においては、映像ファイル及び音声ファイルをそれぞれ複数ファイルに分割して記録する場合もあり、このような場合にあっては、１つのＱＴファイルが１つのリソースファイル、複数の映像ファイル、複数の音声ファイルにより構成されることにより、この実施例のように１つのプロパティエントリにまとめて登録することの効果については、このような場合には一層増大することになる。
【０１９９】
このようにして光ディスク２に記録されたファイルについてのアイコン等を表示するにつき、光ディスク装置１では、光ディスク２にディスクタイトルに係る情報が記録されている場合、このディスクタイトルが始めに表示される（図１８）。
【０２００】
すなわちこの光ディスク装置１に装填される光ディスク２においては、事前にインデックスファイルが記録されて供給されるものもあり、このような光ディスク２においては、インデックスファイルのルートディレクトリに対応するプロパティエントリにおいて、基本プロパティデータ（Basic Property Data ）のファイル識別子（Binary File Identifier）（図６）により光ディスク２に記録された映像ファイルが指し示され、またこのプロパティの拡張データにより、映像ファイルを指し示す情報であるファイル識別子（Binary File Identifier）の登録に係るオーナーを特定するオーナーの識別子（オーナーＩＤ（Owner ID））と、この映像ファイルの再生に供するアプリケーションを特定するアプリケーションの識別子（アプリケーションＩＤ（Application ID））とが設定されて供給される。
【０２０１】
またユーザーにより映像ファイルが記録され、この映像ファイルのディスクタイトルへの登録が指示されると、このルートディレクトリに対応するプロパティエントリにおける基本プロパティデータ（Basic Property Data ）のファイル識別子（Binary File Identifier）が、このユーザーの指示した映像ファイルを指し示すように設定され、ファイル識別子（Binary File Identifier）、オーナーの識別子（オーナーＩＤ（Owner ID））においては、ユーザー登録である旨を示す値０のコードと、光ディスク装置１に係るアプリケーションを特定する識別コードとがそれぞれ設定される。
【０２０２】
これによりこの実施例では、ディスクタイトルとして、サムネイルやテキスト情報だけでなく、映像ファイルをも割り当てることができるようになされ、これにより従来に比して操作性が向上される。また映像ファイルに代えて音声ファイルを登録することにより、音声ファイルによる音声ガイドも利用することができ、これによってもインデックスファイルに係る操作性が向上される。
【０２０３】
またオーナーＩＤ、アプリケーションＩＤにより、ディスクタイトルを登録したユーザー、アプリケーションを知ることができ、これにより登録したユーザーやアプリケーションによって、ディスクタイトルを再生するかどうかの判断を再生装置で実行することができ、これによってもユーザーの使い勝手を向上することができる。
【０２０４】
すなわちこの光ディスク装置１では、アイコン等によるユーザーインターフェースの提供の前提として、光ディスク２が装填されると、このルートディレクトリに対応するプロパティエントリにおける基本プロパティデータ（Basic Property Data ）のファイル識別子（Binary File Identifier）が指し示すファイルを再生した後、操作メニューが提供される。これにより例えば光ディスク２に係る注意事項、メーカーのタイトルバック等を始めに表示して光ディスク２に係る各種の情報をユーザーに提供することができる。またユーザー設定に係る場合には、この映像ファイルにユーザーにより指示されたファイルが適用され、これにより例えばこの光ディスク２が旅行に係る記録の場合には、この旅行に係るタイトル等を動画により表示して光ディスクのディスクタイトルを形成することができ、これによってもインデックスファイルの操作性を向上することができる。
【０２０５】
このような処理において、光ディスク装置１では、オーナーＩＤ、アプリケーションＩＤによりこのような映像ファイルの再生が中止され、これにより例えば他社の光ディスク２に設けられたディスクタイトル、この光ディスク２で対応困難なアプリケーションに係るディスクタイトルについては再生しないようにし、ユーザーの使い勝手を向上するようになされている。しかしてこのようなオーナーＩＤによりディスクタイトルに係る映像ファイルを表示しない場合に、ユーザー登録に係る値０以外のオーナーＩＤについては表示しないようにしてもよく、このような設定をユーザーに委ねるようにしもよい。
【０２０６】
このようにしてオープニングの映像等をユーザーに提供すると、光ディスク装置１では、ユーザーによる設定によりインデックスファイルに登録されたサムネイル画像によりアイコンを表示する。またこのようにしてアイコンを表示してユーザーにより何れかのファイルが選択されて、このファイルに係る別途のサムネイル画像、テキストの登録が指示されると、これら指示に係るサムネイル画像、テキストがそれぞれ対応するサムネイル画像エントリ、テキストエントリに登録される。またこれらのエントリの登録に対応してプロパティエントリが登録される。このプロパティエントリにおいては（図５）、プロパティエントリ種別（Property Entry Type ）が値１に設定されて代理プロパティエントリ（Shadow File Property Entry）により登録され、また親エントリ（（Parent Entry）に本来のプロパティエントリのエントリ番号が登録されて、代理プロパティエントリに係る対象が特定される。
【０２０７】
これによりこの光ディスク装置１では、元のインデックスファイルに係る構造には何ら影響を与えずに、ユーザーの趣味、嗜好を反映させることができるように、別途、サムネイル画像、テキスト等を登録し得、その分、ユーザーの使い勝手の向上によりインデックスファイルの操作性が向上される。
【０２０８】
すなわち光ディスク装置１では、通常の処理においては、インデックスファイルに登録された本来のサムネイル画像、テキスト等によりユーザーインターフェース等を提供するのに対し、ユーザーによる指示により、このように代理で登録されたサムネイル画像、テキスト等によりユーザーインターフェース等を提供する。これにより光ディスク装置１では、ユーザーによる使い勝手を向上することができる。
【０２０９】
これに対してユーザーによりアフレコを予定した撮像結果の記録が指示されると、光ディスク装置１では、撮像結果の映像ファイルＡと、ダミーファイルＢとが交互に記録され、これによりファイルＡを再生して得られる映像データを途切れることなく再生可能に、ファイルＡの途中に空き領域を形成してファイルＡが記録される（図１２（Ａ）〜（Ｃ））。
【０２１０】
この状態でアフレコが指示されると、映像ファイルＡの途中にダミーファイルＢにより確保されている領域に、アフレコに係る音声ファイルＣがダミーファイルＤと共に記録され、これによりこれら音声ファイルＣと映像ファイルＡとを同時に再生して、これら音声ファイルＣと映像ファイルＡとをそれぞれ途切れることなく再生することができる。
【０２１１】
光ディスク装置１では、このようにしてアフレコして、アフレコを繰り返す場合、ファイルＡの途中にダミーファイルＢの記録により当初形成された空き領域で実行することが必要になり、この領域以外に音声ファイルを記録した場合、映像ファイルと音声ファイルとの同期した途切れの無い再生が困難になる。このため光ディスク装置１では、音声ファイルＣの削除、更新に対応するように、ダミーファイルＤによる領域を更新することが必要になり、これによりこの場合、管理対象のファイルである音声ファイルの記録、更新、削除により併せて更新することが必要な他のファイルが存在することになる。
【０２１２】
光ディスク装置１では、この場合に、管理対象のファイルである音声ファイルのプロパティエントリに（図１１）、関連するファイルの登録に係るプロパティエントリを指し示す情報として、このダミーファイルのプロパティエントリ番号が登録される。これにより光ディスク装置１では、このような一方のファイルの削除、更新、記録により更新することが必要な他のファイルの管理を容易なものとすることができ、その分、インデックスファイルに係る操作性を向上することができる。
【０２１３】
すなわちこの光ディスク装置１では、音声ファイルＣの更新、削除に対応するように、このようにして登録したプロパティエントリのエントリ番号により、対応するダミーファイルＤによるプロパティエントリを更新し、またこのダミーファイルＤに係るファイル管理システム上における記録領域を更新して、例えば削除の場合には、このそれまで音声ファイルＢに割り当てていた領域をダミーファイルＤに書き戻すことができる。またこのようにして書き戻した場合には、登録を無効に設定されてなる削除に係るプロパティエントリの記録より、ダミーファイルＤのプロパティエントリを検出し、音声ファイルの改めての記録に対応するように、ダミーファイルＤに係るプロパティエントリの記録を更新することができる。しかしてシステム制御マイコン１９は、このようにファイルの削除に係るプロパティエントリの処理においては、有効無効のフラグ（Valid/Invalid ）（図４）の設定により実行して、他のフィールドについては、書き換えないようにし、これによりこの光ディスク装置１では、この元のままに保持されてなる情報を有効利用して、このような音声ファイルＢの再記録に役立てることができるようになされている。
【０２１４】
これに対してユーザーによりこの光ディスク装置１に固有のアプリケーションが立ち上げられ、このアプリケーションが固有のインデックスファイルの処理に係る場合、光ディスク装置１では、このアプリケーションに対応する固有のインデックスファイルであるプライベートインデックスファイルが作成されて光ディスク２に記録される（図１３〜図１６）。またこのプライベートインデックスファイルによるユーザーインターフェースが提供される。
【０２１５】
これによりこの光ディスク装置１では、各種アプリケーションプログラムで共通に使用することを目的としたインデックスファイルには何ら影響を与えることなく、このアプリケーションに適したユーザーインターフェースによりユーザーの操作を受け付ける等の処理を実行し得、その分、操作性が向上される。
【０２１６】
光ディスク装置１では、このようにして作成されてなるプライベートインデックスファイルについては、インデックスファイルのプロパティエントリに対応するプライベートインデックスデータの連続により作成し、このプライベートインデックスデータに対応するインデックスファイルの各プロパティエントリに、それぞれプライベートインデックスファイル毎に、対応するプライベートインデックスファイルのファイル名、オーナー情報が登録される。これにより既に記録媒体に記録されている他のプライベートインデックスファイルと識別可能に、インデックスファイルのエントリに、該エントリと、プライベートインデックスファイルの対応するプライベートインデックスデータとの関係を示す情報が設定される。
【０２１７】
これにより光ディスク装置１では、このプライベートインデックスファイルに係るアプリケーションがユーザーの操作により立ち上げられた場合に、処理対象ファイルについてのプロパティエントリの記述より、光ディスク２に記録されたプライベートインデックスファイルを検出し、またオーナー情報、ファイル名より、このアプリケーションに対応するプロパティインデックスファイルか否か判断し、対応するプライベートインデックスファイルの場合には、プロパティエントリによる抜粋情報に代えて、このプライベートインデックスファイルの対応するプライベートインデックスデータによりユーザーインターフェースが提供される。これにより光ディスク装置１では、このような固有のアプリケーションに適した抜粋情報によりユーザーインターフェースを提供してユーザーの使い勝手を向上することができる。しかしてプライベートインデックスファイルにあっては、このようなユーザーインターフェースの提供だけでなく、種々の処理に必要な抜粋情報等の記録にも適用することができ、これにより操作性を一段と向上できるようになされている。
【０２１８】
光ディスク装置１では、このようにしてプライベートインデックスファイルを記録するにつき、インデックスファイルの対応するプロパティエントリに、さらに各プライベートインデックスファイルの有効、無効を示すフラグ（Validity Flags）が無効に設定される。また管理対象ファイルを削除した場合には、各プライベートインデックスファイルに係るこの有効、無効フラグ（Validity Flags）が無効に設定される。これに対してこの削除に係るプロパティエントリへの登録の処理が実行され、この光ディスク装置１に固有のアプリケーションにより対応するプライベートインデックスに係るプライベートインデックスデータが登録された場合、このプライベートインデックスについてのみ、対応する有効、無効を示すフラグ（Validity Flags）が有効に設定される。
【０２１９】
これにより光ディスク装置１では、プライベートインデックスファイルによる登録を設けるようにして、これらプライベートインデックスファイルと実際のファイルとの間で、矛盾した記述が発生しないようになされ、このような矛盾した記述の発生による操作性の劣化を有効に回避するようになされている。
【０２２０】
（３）実施例の効果
以上の構成によれば、ファイルの抜粋情報によるエントリの連続によるインデックスファイルにおいて、対象ファイルのサイズを示す情報を設定することにより、インデックスファイルにより再生困難か否か判断し得、これによりユーザーの使い勝手を向上することができる。
【０２２１】
すなわちこのように設定されたファイルサイズの情報に基づいて、再生可能なファイルか否か判断することにより、簡易に再生可能か否か判断することができ、その分、処理に要する時間を短くしてユーザーの使い勝手を向上することができる。
【０２２２】
またこの再生可能なファイルか否かの判断結果に基づいて、ユーザーインターフェースを提供し、再生可能なファイルについて、ユーザーによる選択を受け付けることにより、ユーザーの無駄な操作を防止して使い勝手を向上することができる。
【０２２３】
また以上の構成によれば、再生時、同時に処理する必要があるような密接に関連するファイルについての管理情報をまとめて登録することにより、これらファイルをまとめて管理して処理に要する時間を短くし得、その分、ユーザーの使い勝手を向上することができる。
【０２２４】
またこのようなまとめた管理情報の登録が、これら複数ファイルを代表するファイルに対応するエントリであることにより、このエントリから他の関連するファイルを迅速に検出することができ、その分、再生時等における処理に様子時間を短くしてユーザーの使い勝手を向上することができる。
【０２２５】
またこのまとめた管理情報の登録に対応して、これら複数ファイルの管理情報をまとめた１つのエントリに対応するユーザーインターフェースにより複数ファイルを再生することにより、ユーザーによるメニューの選択を容易にすることができ、これによってもユーザーの使い勝手を向上することができる。
【０２２６】
また以上の構成によれば、ディスクタイトルに係るエントリより映像等による抜粋情報を指し示すことにより、起動時に動画ファイル等を自動的に提供し得、その分、ユーザーの使い勝手を向上することができる。
【０２２７】
またこの映像ファイルを指し示す情報の登録に係るオーナーを特定するオーナーの識別子と、映像ファイルの再生に供するアプリケーションを特定するアプリケーションの識別子とを設定することにより、選択的にこの動画ファイルを提供することができ、これによってもユーザーの使い勝手を向上することができる。
【０２２８】
すなわち起動時において、このルートディレクトリに対応するエントリによる映像ファイルを再生してユーザーに提供することにより、ユーザーの使い勝手を向上することができる。
【０２２９】
またオーナーの識別子と、アプリケーションの識別子とにより、映像ファイルの再生を中止することにより、不必要な動画ファイルについては表示しないようにしてユーザーの使い勝手を向上することができる。
【０２３０】
また以上の構成によれば、代理のエントリを登録することにより、元のインデックスファイルに係る構造には何ら影響を与えずに、ユーザーの趣味、嗜好を反映させることができ、ユーザーの使い勝手を向上することができる。
【０２３１】
すなわちこのような登録に対応して、本来の登録に係る抜粋情報に代えて、別途の登録に係るエントリによる抜粋情報をユーザーに提供することにより、例えばユーザーインターフェースにユーザーの趣味、嗜好を反映させてユーザーの使い勝手を向上することができる。
【０２３２】
また以上の構成によれば、プロパティエントリにより関連するファイルのエントリを指し示すようにすることにより、これら関連するファイルの処理に関して負担を軽減してユーザーインターフェースを向上し得、その分、ユーザーの使い勝手を向上することができる。
【０２３３】
すなわち管理対象ファイルの更新により、対応するように、他のファイルのエントリを指し示す情報により、該エントリに登録された抜粋情報を更新することにより、又は管理対象ファイルの削除により、対応するように、他のファイルのエントリを指し示す情報により、該エントリに登録された抜粋情報を更新することにより、アフレコ等の処理に適用して処理を簡略化することができる。
【０２３４】
また以上の構成によれば、インデックスファイルの管理の元でアプリケーション毎の抜粋情報を登録してプライベートインデックスファイルを記録することにより、インデックスファイルに係る操作性を向上することができる。
【０２３５】
またこのときインデックスファイルのエントリに、プライベートインデックスファイル毎に、プライベートインデックスファイルの対応するプライベートインデックスデータの有効、無効を示す情報を設定することにより、この有効、無効を示す情報の設定により各矛盾した記載の発生を防止することができる。
【０２３６】
すなわちファイルの記録の変更により、この有効、無効を示す情報を更新することにより、矛盾した記述の発生を防止して操作性の劣化を有効に回避することができる。
【実施例２】
【０２３７】
なお上述の実施例においては、プライベートインデックスファイルリストをルートディレクトリに対応するエントリの拡張データとする場合を述べたが、本発明はこれに限らず、プロパティエントリファイルの先頭にあるファイルヘッダＰＨ（図２（Ａ））の一部としても良く、さらには専用のエントリを設ける等、種々の登録方法を広く適用することができる。
【０２３８】
また上述の実施例においては、ディスクタイトルプロパティ拡張データやプライベートインデックスファイルリストを拡張データとするエントリが、記録媒体のルートディレクトリに対応するエントリの場合を述べたが、本発明はこれに限らず、これらエントリは、ファイルシステム上に実在するルートディレクトリに必ずしも対応している必要はなく、親エントリ番号について上述した仮想の階層構造におけるツリー構造の一番上の根（ルート）となるルートフォルダに対応させるようにしてもよい。
【０２３９】
また上述の実施例においては、抜粋情報によるデータ群と、このデータ群を管理する管理用データ群とを外部参照形式によるＱＴファイル構造により一体に保持してインデックスファイルを構成する場合について述べたが、本発明はこれに限らず、必要に応じて種々のフォーマットを適用することができる。
【０２４０】
また上述の実施例においては、ルートディレクトリに対応するプロパティエントリにより指し示される動画ファイルを自動的に再生する場合について述べたが、本発明はこれに限らず、フォルダについても同様に取り扱うようにしてもよい。
【０２４１】
また上述の実施例においては、本発明を光ディスク装置に適用して撮像結果、パソコンの出力等を記録する場合について述べたが、本発明はこれに限らず、光磁気ディスク、ハードディスク装置等の各種記録媒体に記録した多数のファイルを管理する場合、さらには所定のサーバーに保持した多数のファイルを管理する場合等に広く適用することができる。
【０２４２】
また上述の実施例においては、ＱＴムービーファイルによる管理対象ファイルを管理する場合について述べたが、本発明はこれに限らず、種々のフォーマットによるビデオデータによるファイル、オーディオデータによるファイル等を管理する場合に広く適用することができる。
【０２４３】
また上述の実施例においては、管理対象ファイルと共にインデックスファイルを記録する場合について述べたが、本発明はこれに限らず、管理対象ファイルと異なる記録媒体にインデックスファイルを記録する場合、さらには管理対象ファイルと異なるサーバー上にインデックスファイルを保持する場合等に広く適用することができる。
【産業上の利用可能性】
【０２４４】
本発明は、記録装置、再生装置、ファイル管理方法及びファイル管理方法のプログラム及びファイル管理方法のプログラムを記録した記録媒体に関し、例えば光ディスク装置に適用することができる。
【図面の簡単な説明】
【０２４５】
【図１】本発明の実施例に係る光ディスク装置を示すブロック図である。
【図２】インデックスファイルを示す図表である。
【図３】プロパティの実データを示す図表である。
【図４】図３のプロパティエントリフラグを示す図表である。
【図５】図４のプロパティエントリタイプを示す図表である。
【図６】図３の基本プロパティデータを示す図表である。
【図７】グループ内ファイル管理リスト拡張データの構造を示す図表である。
【図８】図７の関連するファイルのエントリを示す図表である。
【図９】グループ内ファイル管理リスト拡張データの説明に供する略線図である。
【図１０】ディスクタイトルプロパティ拡張データを示す図表である。
【図１１】ファイル間の関連情報拡張データを示す図表である。
【図１２】ファイル間の関連情報拡張データの説明に供する略線図である。
【図１３】プライベートインデックスファイルリストを示す図表である。
【図１４】図１３のプライベートインデックスファイルリストの各フィールドを詳細に示す図表である。
【図１５】プライベートインデックスファイルリストの説明に供する略線図である。
【図１６】プライベートデータ状態フラグを示す図表である。
【図１７】ファイルサイズに係る処理手順を示すフローチャートである。
【図１８】ディスクタイトルに係る処理手順を示すフローチャートである。
【符号の説明】
【０２４６】
１……光ディスク装置、２……光ディスク、１１……ビデオ符号器、１２……オーディオ符号器、１３……ビデオ復号器、１４……オーディオ復号器、１５……ファイル生成器、１６……ファイル復号器、１９……システム制御マイコン
【図１】
2005100081.tif 000003
【図２】
2005100081.tif 000004
【図３】
2005100081.tif 000005
【図４】
2005100081.tif 000006
【図５】
2005100081.tif 000007
【図６】
2005100081.tif 000008
【図７】
2005100081.tif 000009
【図８】
2005100081.tif 000010
【図９】
2005100081.tif 000011
【図１０】
2005100081.tif 000012
【図１１】
2005100081.tif 000013
【図１２】
2005100081.tif 000014
【図１３】
2005100081.tif 000015
【図１４】
2005100081.tif 000016
【図１５】
2005100081.tif 000017
【図１６】
2005100081.tif 000018
【図１７】
2005100081.tif 000019
【図１８】
2005100081.tif 000020
【手続補正書】
【提出日】平成16年9月24日(2004.9.24)
【手続補正１】
【補正対象書類名】特許請求の範囲
【補正対象項目名】請求項３８
【補正方法】変更
【補正の内容】
【請求項３８】
前記管理対象のファイルの更新により、前記管理対象のファイルの更新に対応するように、前記管理対象のファイルのエントリに登録された前記抜粋情報を更新すると共に、前記他のファイルのエントリを指し示す情報により、該エントリに登録された前記抜粋情報を更新する
ことを特徴とする請求項３７に記載の記録装置。
【手続補正２】
【補正対象書類名】特許請求の範囲
【補正対象項目名】請求項３９
【補正方法】変更
【補正の内容】
【請求項３９】
前記管理対象のファイルの削除により、前記管理対象のファイルの削除に対応するように、前記管理対象のファイルのエントリの登録を無効にすると共に、前記他のファイルのエントリを指し示す情報により、該エントリに登録された前記抜粋情報を更新する
ことを特徴とする請求項３７に記載の記録装置。
【手続補正４】
【補正対象書類名】明細書
【補正対象項目名】０００１
【補正方法】変更
【補正の内容】
【０００１】
本発明は、記録装置、再生装置、ファイル管理方法、ファイル管理方法のプログラム及びファイル管理方法のプログラムを記録した記録媒体に関し、例えば光ディスク装置に適用することができる。本発明は、ファイルの抜粋情報によるエントリの連続によるインデックスファイルにおいて、対象ファイルのサイズを示す情報を設定することにより、密接に関連するファイルについての管理情報をまとめて登録することにより、ディスクタイトルに係るエントリよりビデオによる抜粋情報を指し示すことにより、代理のエントリを登録することにより、関連するファイルのエントリを指し示すようにすることにより、さらにはインデックスファイルの管理の元でアプリケーション毎の抜粋情報を登録することにより、従来に比して一段と操作性を向上することができるようにする。
【手続補正５】
【補正対象書類名】明細書
【補正対象項目名】００６２
【補正方法】変更
【補正の内容】
【００６２】
これにより請求項４６、請求項４７、請求項４８の構成によれば、プライベートインデックスファイルにより操作性を向上することができるファイル管理方法、ファイル管理方法のプログラム、ファイル管理方法のプログラムを記録した記録媒体を提供することができる。
【手続補正６】
【補正対象書類名】明細書
【補正対象項目名】００６４
【補正方法】変更
【補正の内容】
【００６４】
これにより請求項５０、請求項５１、請求項５２の構成によれば、プライベートインデックスファイルの管理により操作性を向上することができるファイル管理方法、ファイル管理方法のプログラム、ファイル管理方法のプログラムを記録した記録媒体を提供することができる。
【手続補正７】
【補正対象書類名】明細書
【補正対象項目名】０１５２
【補正方法】変更
【補正の内容】
【０１５２】
すなわちシステム制御マイコン１９は、ユーザーにより撮像結果の記録が指示された場合、撮像結果に係る映像ファイル、音声ファイルを光ディスク２に記録し、またこれらのファイルのリソースファイルを光ディスク２に記録する。またメモリに記録してなるインデックスファイルにプロパティエントリ、サムネイル画像エントリ、テキストエントリを確保してこのＱＴファイルに係るエントリを登録する。このときシステム制御マイコン１９は、ＱＴファイルを構成する複数ファイルを代表するファイルであるリソースファイルについて、これら登録の処理を実行し、このリソースファイルに係るプロパティエントリを拡張して他の映像ファイル及び音声ファイルに関するファイル識別子等を登録する。またこのようにして登録したインデックスファイルを光ディスク２に記録する。これによりこのシステム制御マイコン１９は、同時に再生する密接するファイルについては、代表するファイルのプロパティエントリに管理情報をまとめて登録し、その分、操作性を向上するようになされている。
【手続補正８】
【補正対象書類名】明細書
【補正対象項目名】０１５３
【補正方法】変更
【補正の内容】
【０１５３】
また再生時において、システム制御マイコン１９は、このように拡張してなるプロパティエントリの記録により、１つのＱＴファイルに対しては１つのアイコンの表示によりユーザーインターフェースを提供し、このアイコンの操作により再生対象の選択を受け付ける。なおシステム制御マイコン１９は、この実施例のように１つのプロパティエントリに管理情報をまとめて記録していないインデックスファイルについては、ＱＴファイルを構成する複数ファイル毎にメニューを表示してユーザーによる操作を受け付けるようになされている。なおこの従来構成に係るインデックスファイルについては、ファイル管理システムの記録によりソースファイルを検出し、このリソースファイルの記録により、他の映像ファイル、音声ファイルについては、メニューを表示しないようにすることもでき、このようにすれば、代表ファイルにより管理情報をまとめて登録したＱＴファイルと、従来構成による登録に係るＱＴファイルとで、統一されたユーザーインターフェースを提供してユーザーの使い勝手を向上することができる。
【手続補正９】
【補正対象書類名】明細書
【補正対象項目名】０１６４
【補正方法】変更
【補正の内容】
【０１６４】
（１−４−４）代理ファイルエントリに係る処理
システム制御マイコン１９は、このようにしてオープニングの映像を表示すると、ユーザーによる設定によりインデックスファイルに登録された各ファイルのサムネイル画像によりアイコンを表示する。またこのようにしてアイコンを表示してユーザーによるサムネイル画像の別途の登録が指示されると、ユーザーによる操作に応動してこのサムネイル画像の登録を受け付ける。
【手続補正１０】
【補正対象書類名】明細書
【補正対象項目名】０１８０
【補正方法】変更
【補正の内容】
【０１８０】
なおこのような固定長によるプライベートインデックスデータの設定に代えて、プロパティエントリとプライベートインデックスデータとの対応関係を示すリストをプライベートインデックスファイルに設けるようにしてもよい。なおこのリストにあっては、例えばプロパティエントリのエントリ番号と、対応するプライベートインデックスデータのオフセット、サイズをこのリストと対応付けて作成することが考えられる。この場合、アプリケーションは、エントリ番号により、対応するプライベートデータインデックスデータのオフセット、サイズを求めてアクセスすることになる。またこの場合に、エントリ番号に代えて、対応するファイルを指し示すファイル識別子（Binary File Identifier）を利用することも考えられる。
【手続補正１１】
【補正対象書類名】明細書
【補正対象項目名】０１９８
【補正方法】変更
【補正の内容】
【０１９８】
またこれら複数ファイルに１つのアイコンが割り当てられることにより、ユーザーによる操作性を向上し、これによりユーザーの使い勝手を向上することができる。すなわち従来のインデックスファイルにおいては、これら複数ファイルがそれぞれプロパティエントリに登録されることにより、これら複数ファイルのそれぞれにアイコンが表示され、この複数のアイコンよりリソースファイルのアイコンを選択して操作することが必要になる。これに対してこの実施例では、このようなアイコンの選択に係る作業を省略することができ、その分、操作性を向上してユーザーの使い勝手を向上することができる。なおＱＴファイルにおいては、長時間の記録において、映像ファイル及び音声ファイルをそれぞれ複数ファイルに分割して記録する場合もあり、このような場合にあっては、１つのＱＴファイルが１つのリソースファイル、複数の映像ファイル、複数の音声ファイルにより構成されることにより、この実施例のように１つのプロパティエントリにまとめて登録することの効果については、このような場合には一層増大することになる。
【手続補正１２】
【補正対象書類名】明細書
【補正対象項目名】０２０２
【補正方法】変更
【補正の内容】
【０２０２】
これによりこの実施例では、ディスクタイトルとして、サムネイル画像やテキスト情報だけでなく、映像ファイルをも割り当てることができるようになされ、これにより従来に比して操作性が向上される。また映像ファイルに代えて音声ファイルを登録することにより、音声ファイルによる音声ガイドも利用することができ、これによってもインデックスファイルに係る操作性が向上される。
【手続補正１３】
【補正対象書類名】明細書
【補正対象項目名】０２０５
【補正方法】変更
【補正の内容】
【０２０５】
このような処理において、光ディスク装置１では、オーナーＩＤ、アプリケーションＩＤによりこのような映像ファイルの再生が中止され、これにより例えば他社の光ディスク２に設けられたディスクタイトル、この光ディスク２で対応困難なアプリケーションに係るディスクタイトルについては再生しないようにし、ユーザーの使い勝手を向上するようになされている。しかしてこのようなオーナーＩＤによりディスクタイトルに係る映像ファイルを表示しない場合に、ユーザー登録に係る値０以外のオーナーＩＤについては表示しないようにしてもよく、このような設定をユーザーに委ねるようにしてもよい。
【手続補正１４】
【補正対象書類名】明細書
【補正対象項目名】０２２４
【補正方法】変更
【補正の内容】
【０２２４】
またこのようなまとめた管理情報の登録が、これら複数ファイルを代表するファイルに対応するエントリであることにより、このエントリから他の関連するファイルを迅速に検出することができ、その分、再生時等における処理に要する時間を短くしてユーザーの使い勝手を向上することができる。
【手続補正１５】
【補正対象書類名】明細書
【補正対象項目名】０２４４
【補正方法】変更
【補正の内容】
【０２４４】
本発明は、記録装置、再生装置、ファイル管理方法、ファイル管理方法のプログラム及びファイル管理方法のプログラムを記録した記録媒体に関し、例えば光ディスク装置に適用することができる。